(57)【要約】  本開示は、走査周期内のデータ伝送サブフレームのシンボルの一部または全部を走査時間ブロックとして配置することと、走査信号チャネルを前記走査時間ブロック内に担持させて伝送することとを含む走査時間ブロックに基づく情報伝送方法および装置を開示し、前記走査信号チャネルとは、全てのポートまたはビームにおいてポーリング送信する必要がある信号または信号およびチャネルである。上記態様により、データビーム伝送の柔軟性および効率を向上させ、且つサービス伝送の遅延を減少することができる。【選択図】図２
2019531621.tif 000002
【特許請求の範囲】
【請求項１】
走査周期内のデータ伝送サブフレームのシンボルの一部または全部を走査時間ブロックとして配置することと、
走査信号チャネルを前記走査時間ブロック内に担持させて伝送することと、を含む、走査時間ブロックに基づく情報伝送方法であって、
前記走査信号チャネルとは、全てのポートまたはビームにおいてポーリング送信する必要がある信号、または信号およびチャネルである、走査時間ブロックに基づく情報伝送方法。
【請求項２】
前記走査周期内のデータ伝送サブフレームのシンボルの一部または全部を走査時間ブロックとして配置することは、走査周期内の１つまたは複数のデータ伝送サブフレームのシンボルの一部または全部を１つまたは複数の走査時間ブロックとして配置することを含む、請求項１に記載の方法。
【請求項３】
前記走査周期内のデータ伝送サブフレームのシンボルの一部または全部を走査時間ブロックとして配置することとは、走査周期内の１つまたは複数のデータ伝送サブフレーム内の予約領域以外のシンボルを１つまたは複数の走査時間ブロックとして配置することを含む、請求項１に記載の方法。
【請求項４】
走査周期内の１つまたは複数のデータ伝送サブフレーム内の予約領域以外のシンボルを１つまたは複数の走査時間ブロックとして配置すると、前記走査時間ブロックが配置されたデータ伝送サブフレームの構造は、
下り制御領域および下り走査時間ブロックの組み合わせと、
下り制御領域、ガードインターバル、及び上り走査時間ブロックの組み合わせと、
下り制御領域、下り走査時間ブロック、ガードインターバル、及び上り制御領域の組み合わせと、
下り制御領域、ガードインターバル、上り走査時間ブロック、及び上り制御領域の組み合わせと、
下り制御領域、下り走査時間ブロック、ガードインターバル、上り走査時間ブロック、及び上り制御領域の組み合わせと、のいずれか１種であり、
前記下り制御領域、下り走査時間ブロック、ガードインターバル、上り走査時間ブロック、上り制御領域は、それぞれ１つまたは複数のシンボルを含む、請求項３に記載の方法。
【請求項５】
前記走査周期内の１つまたは複数のデータ伝送サブフレーム内の予約領域以外のシンボルを１つまたは複数の走査時間ブロックとして配置することは、走査周期内の１つまたは複数の連続するデータ伝送サブフレーム内の予約領域以外のシンボルの全部を走査時間ブロックとして配置することを含み、
走査周期内の１つまたは複数の連続するデータ伝送サブフレーム内の予約領域以外のシンボルの全部を走査時間ブロックとして配置すると、前記走査時間ブロックが配置された１つまたは複数の連続するデータ伝送サブフレームは、１つの走査時間間隔を構成する、請求項３に記載の方法。
【請求項６】
前記予約領域は、下り制御領域、上り制御領域のうちの１種または複数種を含む、請求項３から５のいずれか１項に記載の方法。
【請求項７】
前記走査周期内のデータ伝送サブフレームのシンボルの一部または全部を走査時間ブロックとして配置することとは、走査周期内の１つまたは複数の連続するデータ伝送サブフレームのシンボルの全部を走査時間ブロックとして配置することを含み、
走査周期内の１つまたは複数の連続するデータ伝送サブフレームのシンボルの全部を走査時間ブロックとして配置すると、前記走査時間ブロックが配置された１つまたは複数の連続するデータ伝送サブフレームは、１つの走査時間間隔を構成する、請求項１に記載の方法。
【請求項８】
前記走査周期内のデータ伝送サブフレームのシンボルの一部または全部を走査時間ブロックとして配置することとは、走査周期内のデータ伝送サブフレームのシンボルの一部または全部を１つの走査時間ブロックのみとして配置することを含み、
走査周期内のデータ伝送サブフレームのシンボルの一部または全部を１つの走査時間ブロックのみとして配置すると、前記データ伝送サブフレームのポートまたはビームは、前記走査時間ブロックのポートまたはビームのサブセットまたはフルセットである、請求項１に記載の方法。
【請求項９】
前記走査周期とは、前記走査信号チャネルが全てのポートまたはビームにおいて１回ポーリング送信する時間間隔である、前記走査周期内に複数のサブフレームが含まれる、請求項１に記載の方法。
【請求項１０】
前記走査周期は、５ｍｓ、１０ｍｓ、２０ｍｓ、４０ｍｓ、８０ｍｓのいずれか１種に予め定義される、請求項９に記載の方法。
【請求項１１】
前記走査時間ブロックは、下り走査時間ブロック、上り走査時間ブロックのうちの１種または複数種を含み、前記走査信号チャネルは、上り走査信号チャネル、下り走査信号チャネルのうちの１種または複数種を含む、請求項１に記載の方法。
【請求項１２】
前記下り走査時間ブロックは、セルサーチ、下りポートまたはビームの測定および識別の少なくとも１つに用いられる下り走査信号チャネルを担持し、前記下り走査信号チャネルは、前記ポートまたはビームに対応する下り同期信号、システムインフォメーション、下りポート測定参照信号という信号またはチャネルのうちの１種または複数種を含む、請求項１１に記載の方法。
【請求項１３】
前記上り走査時間ブロックは、上りアクセス、上りポートまたはビームの測定および識別の少なくとも１つに用いられる上り走査信号チャネルを担持し、前記上り走査信号チャネルは、前記ポートまたはビームに対応する上りランダムアクセス要求信号、上りポート測定参照信号という信号またはチャネルのうちの１種または複数種を含む、請求項１１に記載の方法。
【請求項１４】
前記走査周期内に１つまたは複数の走査時間ブロックが含まれ、それぞれの走査時間ブロックは、１つまたは複数のポートの走査信号チャネルを送信し、１つまたは複数のシンボルを占め、前記走査周期内に全てのポートまたはビームの走査信号チャネルの送信を完成する、請求項１に記載の方法。
【請求項１５】
前記走査時間ブロックにおける走査信号チャネルは、更に、前記走査時間ブロックの時間領域位置情報を指示するために用いられ、前記時間領域位置情報は、走査時間ブロックが位置するフレーム、走査時間ブロックが位置するサブフレーム、走査時間ブロックの前記サブフレームにおける位置の１種または複数種を含む、請求項１に記載の方法。
【請求項１６】
前記データ伝送サブフレームは、特定のポートまたはビームにおける１つまたは複数の端末のデータを送信または受信するために用いられる、請求項１に記載の方法。
【請求項１７】
前記データ伝送サブフレームの構造は、
下り制御領域および下りデータ領域の組み合わせと、
下り制御領域、ガードインターバル、及び上りデータ領域の組み合わせと、
下り制御領域、下りデータ領域、ガードインターバル、及び上り制御領域の組み合わせと、
下り制御領域、ガードインターバル、上りデータ領域、及び上り制御領域の組み合わせと、
下り制御領域、下りデータ領域、ガードインターバル、上りデータ領域、及び上り制御領域の組み合わせと、のいずれか１種を含み、
前記下り制御領域、下りデータ領域、ガードインターバル、上りデータ領域、上り制御領域は、それぞれ１つまたは複数のシンボルを含む、請求項１に記載の方法。
【請求項１８】
下りデータまたは上りデータを前記走査時間ブロック内に担持させて伝送することを更に含み、前記下りデータまたは上りデータは、前記走査時間ブロックの前のサブフレームまたはシンボル内の下り制御領域において割り当てられるまたはスケジューリングされる、請求項１に記載の方法。
【請求項１９】
前記下り制御領域が用いるポートまたはビームは、前記下りデータの所属する走査時間ブロックのポートまたはビームのサブセットまたはフルセットである、請求項１８に記載の方法。
【請求項２０】
前記下りデータまたは上りデータが用いるポートまたはビームは、前記走査時間ブロックのポートまたはビームのサブセットまたはフルセットであり、走査時間ブロック内の前記走査信号チャネルに占められていないリソースを使用する、請求項１８に記載の方法。
【請求項２１】
前記下りデータまたは上りデータは、前記走査時間ブロック内の走査信号チャネルと周波数多重される、請求項１８に記載の方法。
【請求項２２】
下り制御には、走査時間ブロック内のデータ伝送リソースに対する上りスケジューリング情報または下り割当情報が含まれる、請求項１８に記載の方法。
【請求項２３】
前記走査時間ブロック内のデータ伝送リソースは、前記データ伝送サブフレーム内のデータ伝送リソースと関連して割り当て・指示され、または、独立して割り当て・指示される、請求項２２に記載の方法。
【請求項２４】
前記下り制御は、前記走査時間ブロック内のデータ伝送リソースの時間領域位置情報、前記走査時間ブロック内のデータ伝送リソースの周波数領域位置情報のうちの１種または複数種を更に含む、請求項２２に記載の方法。
【請求項２５】
前記走査時間ブロック内のデータ伝送リソースの時間領域位置情報は、
前記走査時間ブロックと前記下り制御が位置するデータ伝送サブフレームと間の絶対時間オフセットと、
前記走査時間ブロックが位置するサブフレームと前記下り制御が位置するデータ伝送サブフレームとの間の絶対時間オフセット、および前記走査時間ブロックの前記サブフレーム内の位置と、
前記走査時間ブロックが位置するサブフレームのインデックス、および前記走査時間ブロックの前記サブフレーム内の位置と、
のいずれか１種によって説明され、
前記絶対時間オフセットは、オフセットしたシンボル数、またはオフセットした絶対時間である、請求項２４に記載の方法。
【請求項２６】
前記走査時間ブロックの前記サブフレーム内の位置とは、前記走査時間ブロックが前記サブフレームを占めるシンボル情報、または、前記走査時間ブロックと前記走査時間ブロックが位置するサブフレームの境界との間のオフセット（ｏｆｆｓｅｔ）情報である、請求項１５または２５に記載の方法。
【請求項２７】
前記走査時間ブロックが等間隔でデータ伝送サブフレームにマッピングされる、請求項１に記載の方法。
【請求項２８】
前記走査時間ブロックが等間隔でデータ伝送サブフレームにマッピングされることは、
前記走査周期Ｔ内の全ての走査時間ブロックをＮグループに分け、各グループの走査時間ブロックが固定の時間間隔でデータ伝送サブフレームにマッピングされ、各グループ内の隣接する前記走査時間ブロックが等間隔でマッピングされること、または、
前記走査周期内の全ての隣接する前記走査時間ブロックが等間隔でマッピングされること、または、
全ての隣接する前記走査時間ブロックが等間隔でマッピングされること、
を含む、請求項２７に記載の方法。
【請求項２９】
前記各グループの走査時間ブロックが固定の時間間隔でデータ伝送サブフレームにマッピングされることは、隣接する２グループの走査時間ブロック内の１番目の走査時間ブロックの開始境界間のオフセットが固定であることを含む、請求項２８に記載の方法。
【請求項３０】
前記隣接する２グループの走査時間ブロック内の１番目の走査時間ブロックの開始境界間のオフセットは、前記走査周期ＴとＮの比に等しい、請求項２９に記載の方法。
【請求項３１】
走査周期内のデータ伝送サブフレームのシンボルの一部または全部を走査時間ブロックとして配置するように構成される配置モジュールと、
走査信号チャネルを前記走査時間ブロック内に担持させて伝送するように構成される伝送モジュールと、を備える走査時間ブロックに基づく情報伝送装置であって、
前記走査信号チャネルとは、全てのポートまたはビームにおいてポーリング送信する必要がある信号または信号およびチャネルである、走査時間ブロックに基づく情報伝送装置。
【請求項３２】
前記配置モジュールは、走査周期内の１つまたは複数のデータ伝送サブフレームのシンボルの一部または全部を１つまたは複数の走査時間ブロックとして配置するように構成される、請求項３１に記載の装置。
【請求項３３】
前記配置モジュールは、走査周期内の１つまたは複数のデータ伝送サブフレーム内の予約領域以外のシンボルを１つまたは複数の走査時間ブロックとして配置するように構成される、請求項３１に記載の装置。
【請求項３４】
前記配置モジュールによって、走査周期内の１つまたは複数のデータ伝送サブフレーム内の予約領域以外のシンボルを１つまたは複数の走査時間ブロックとして配置すると、前記走査時間ブロックが配置されたデータ伝送サブフレームの構造は、
下り制御領域および下り走査時間ブロックの組み合わせと、
下り制御領域、ガードインターバル、及び上り走査時間ブロックの組み合わせと、
下り制御領域、下り走査時間ブロック、ガードインターバル、及び上り制御領域の組み合わせと、
下り制御領域、ガードインターバル、上り走査時間ブロック、及び上り制御領域の組み合わせと、
下り制御領域、下り走査時間ブロック、ガードインターバル、上り走査時間ブロック、及び上り制御領域の組み合わせと、のいずれか１種であり、
前記下り制御領域、下り走査時間ブロック、ガードインターバル、上り走査時間ブロック、上り制御領域は、それぞれ１つまたは複数のシンボルを含む、請求項３３に記載の装置。
【請求項３５】
前記配置モジュールは、走査周期内の１つまたは複数の連続するデータ伝送サブフレーム内の予約領域以外のシンボルの全部を走査時間ブロックとして配置するように構成され、
前記配置モジュールによって、走査周期内の１つまたは複数の連続するデータ伝送サブフレーム内の予約領域以外のシンボルの全部を走査時間ブロックとして配置すると、前記走査時間ブロックが配置された１つまたは複数の連続するデータ伝送サブフレームは、１つの走査時間間隔を構成する、請求項３３に記載の装置。
【請求項３６】
前記予約領域は、下り制御領域、上り制御領域のうちの１種または複数種を含む、請求項３３〜３５のいずれか１項に記載の装置。
【請求項３７】
前記配置モジュールは、走査周期内の１つまたは複数の連続するデータ伝送サブフレームのシンボルの全部を走査時間ブロックとして配置するように構成され、
前記配置モジュールによって、走査周期内の１つまたは複数の連続するデータ伝送サブフレームのシンボルの全部を走査時間ブロックとして配置すると、前記走査時間ブロックが配置された１つまたは複数の連続するデータ伝送サブフレームは、１つの走査時間間隔を構成する、請求項３１に記載の装置。
【請求項３８】
前記配置モジュールは、走査周期内のデータ伝送サブフレームのシンボルの一部または全部を１つの走査時間ブロックのみとして配置するように構成され、
前記配置モジュールによって、走査周期内のデータ伝送サブフレームのシンボルの一部または全部を１つの走査時間ブロックのみとして配置すると、前記データ伝送サブフレームのポートまたはビームは、前記走査時間ブロックのポートまたはビームのサブセットまたはフルセットである、請求項３１に記載の装置。
【請求項３９】
前記走査時間ブロックは、下り走査時間ブロック、上り走査時間ブロックのうちの１種または複数種を含み、前記走査信号チャネルは、上り走査信号チャネル、下り走査信号チャネルのうちの１種または複数種を含み、
前記下り走査時間ブロックは、セルサーチ、下りポートまたはビームの測定および識別の少なくとも１つに用いられる下り走査信号チャネルを担持し、前記下り走査信号チャネルは、前記ポートまたはビームに対応する下り同期信号、システムインフォメーション、下りポート測定参照信号という信号またはチャネルのうちの１種または複数種を含み、
前記上り走査時間ブロックは、上りアクセス、上りポートまたはビームの測定および識別の少なくとも１つに用いられる上り走査信号チャネルを担持し、前記上り走査信号チャネルは、前記ポートまたはビームに対応する上りランダムアクセス要求信号、上りポート測定参照信号という信号またはチャネルのうちの１種または複数種を含む、請求項３１に記載の装置。
【請求項４０】
前記走査時間ブロックにおける走査信号チャネルは、更に、前記走査時間ブロックの時間領域位置情報を指示するために用いられ、前記時間領域位置情報は、走査時間ブロックが位置するフレーム、走査時間ブロックが位置するサブフレーム、走査時間ブロックの前記サブフレームにおける位置の１種または複数種を含む、請求項３１に記載の装置。
【請求項４１】
前記伝送モジュールは、更に、下りデータまたは上りデータを前記走査時間ブロック内に担持させて伝送するように構成され、前記下りデータまたは上りデータは、前記走査時間ブロックの前のサブフレームまたはシンボル内の下り制御領域において割り当てられるまたはスケジューリングされる、請求項３１に記載の装置。
【請求項４２】
前記走査時間ブロックが等間隔でデータ伝送サブフレームにマッピングされる、請求項３１に記載の装置。
【請求項４３】
請求項３１から４２のいずれか１項に記載の走査時間ブロックに基づく情報伝送装置を備える、電子機器。
【請求項４４】
プロセッサおよび前記プロセッサで実行可能な命令が記憶されたメモリを含み、前記命令がプロセッサによって実行されると、請求項１から３０のいずれか１項に記載の走査時間ブロックに基づく情報伝送方法のステップを実行する、電子機器。
【請求項４５】
コンピュータ実行可能命令が記憶され、前記コンピュータ実行可能命令がプロセッサによって実行されると、請求項１から３０のいずれか１項に記載の走査時間ブロックに基づく情報伝送方法を実現する、機械可読媒体。
【発明の詳細な説明】
【技術分野】
【０００１】
本願は、移動通信分野に関し、それに限定されず、特に、走査時間ブロックに基づく情報伝送方法および装置に関する。
【背景技術】
【０００２】
無線技術の進歩に伴い、様々な無線サービスが大量に現れるが、無線サービスを支えるスペクトルリソースは限られている。帯域幅に対する需要が増加していくことに対処するために、従来のビジネス通信に主に使用される３００ＭＨｚ〜３ＧＨｚの範囲内のスペクトルリソースが逼迫し、未来の無線通信の需要を満たすことができなくなった。
【０００３】
未来の無線通信において、第四世代（４Ｇ）通信システムに採用される搬送波周波数よりも高い搬送波周波数、例えば、２８ＧＨｚ、４５ＧＨｚ、７０ＧＨｚ等の搬送波周波数で通信し、このような高周波のチャネルは、自由伝搬ロスが大きく、酸素ガスに吸収されやすく、降雨減衰の影響が大きい等の欠点を有し、高周波通信システムのカバー性能に大きく影響を及ぼす。しかし、高周波通信に対応する搬送波周波数がより短い波長を有するため、単位面積により多くのアンテナエレメントが収容され得ることを保証でき、より多くのアンテナエレメントは、ビームフォーミングの方法でアンテナ利得を向上させ、高周波通信のカバー性能を保証できることを意味する。
【０００４】
ビームフォーミングの方法を採用すると、送信側は送信エネルギーをある方向に集中し、他の方向においてエネルギーが小さくまたはないようにすることができる。つまり、各ビームは自体の方向性を有し、各ビームは一定の方向における端末のみをカバーでき、送信側、すなわち基地局は、全方位のカバーを完成するために、数十ないし数百の方向にビームを送信する必要がある。関連技術において、端末をネットワークに初期アクセスする過程にビーム方向の初期測定および識別を行い、１つの時間間隔内に集中して基地局側から送信されたビームを１回ポーリングし、端末が好ましいビームまたはポートを測定して識別するという傾向がある。図１に示すように、下りビーム走査サブフレーム（ＤＬ  ｂｅａｍ  ｓｗｅｅｐｉｎｇ  ｓｕｂｆｒａｍｅ）は、内部に複数の連続するビーム走査時間ブロック（ｂｅａｍ  ｓｗｅｅｐｉｎｇ  ｂｌｏｃｋ）が含まれる（図１に示すようなメッシュ領域）。それぞれのビーム走査時間ブロック内に、基地局のＲＦチェーンの数により、複数のビームまたはポートで同期信号（ＳＳ、Ｓｙｎｃｈｒｏｎｏｕｓ  Ｓｉｇｎａｌ）、システムインフォメーション（ＳＩ、Ｓｙｓｔｅｍ  Ｉｎｆｏｒｍａｔｉｏｎ）を送信することができ、ビーム／ポート測定参照信号（ＢＲＳ、Ｂｅａｍ  Ｒｅｆｅｒｅｎｃｅ  Ｓｉｇｎａｌ）を含んでもよい。端末は、同期信号の測定、システムインフォメーションの取得、および選択可能な測定参照信号の測定により、好ましい下り送信ビームまたはポートを識別し、セル基本情報を取得し、配置情報にアクセスし、それによりネットワークにアクセスする。同様に、上りリンクにも連続的に配置された走査時間ブロックを有する。
【０００５】
このような過程において、システムの実行周波数の向上に伴い、必要とするビームフォーミング利得も増大する。これによって、より「狭くなる」ビームで所定の範囲をカバーする必要があり、ビーム数が数十から数百に達する可能性があり、更に、ビーム走査が行われる時間ブロックの数を対応して増加させる必要もあり、ビーム走査が行われるサブフレームの全長が長くなる。また、ビーム走査が行われるサブフレーム内に、ビームの送信方向が予め定義された順序で交替されるため、現在のビームごとに異なるデータ送信要件を満たすことができず、すなわち、データ送信の需要のあるビーム方向において、走査サブフレームが終了しなければデータサブフレームを配置できないという可能性がある。全ビームポーリングが占める時間（ビーム走査サブフレーム）は長すぎると、データビーム伝送の柔軟性および効率に影響を及ぼし、サービス伝送の遅延も増加する。また、走査時間ブロックの送信方向を連続的に頻繁に変換すると、基地局のハードウェアコストおよびオーバーヘッドが増加する。
【発明の概要】
【発明が解決しようとする課題】
【０００６】
以下は本開示を詳細に説明する主題の概要である。本概要は、特許請求の範囲を制限するためのものではない。
【０００７】
本発明の実施例は、データビーム伝送の柔軟性および効率を向上させ、且つサービス伝送の遅延を減少することができる走査時間ブロックに基づく情報伝送方法および装置を提供する。
【課題を解決するための手段】
【０００８】
本発明の実施例は、走査周期内のデータ伝送サブフレームのシンボルの一部または全部を走査時間ブロックとして配置することと、走査信号チャネルを前記走査時間ブロック内に担持させて伝送することと、を含む、走査時間ブロックに基づく情報伝送方法であって、前記走査信号チャネルとは、全てのポートまたはビームにおいてポーリング送信する必要がある信号、または信号およびチャネルである、走査時間ブロックに基づく情報伝送方法を提供する。
【０００９】
本発明の実施例は、走査周期内のデータ伝送サブフレームのシンボルの一部または全部を走査時間ブロックとして配置するように構成される配置モジュールと、走査信号チャネルを前記走査時間ブロック内に担持させて伝送するように構成される伝送モジュールとを備える走査時間ブロックに基づく情報伝送装置であって、前記走査信号チャネルとは、全てのポートまたはビームにおいてポーリング送信する必要がある信号または信号およびチャネルである、走査時間ブロックに基づく情報伝送装置を更に提供する。
【００１０】
本発明の実施例は、上記走査時間ブロックに基づく情報伝送装置を備える電子機器を更に提供する。
【００１１】
本発明の実施例は、プロセッサおよび前記プロセッサで実行可能な命令が記憶されたメモリを備え、前記命令がプロセッサによって実行されると、走査周期内のデータ伝送サブフレームのシンボルの一部または全部を走査時間ブロックとして配置する動作と、走査信号チャネルを前記走査時間ブロック内に担持させて伝送する動作とを実行する電子機器であって、前記走査信号チャネルとは、全てのポートまたはビームにおいてポーリング送信する必要がある信号または信号およびチャネルである、電子機器を更に提供する。
【００１２】
本発明の実施例は、コンピュータ実行可能命令が記憶され、前記コンピュータ実行可能命令がプロセッサによって実行されると、上記走査時間ブロックに基づく情報伝送方法を実現する機械可読媒体を更に提供する。
【００１３】
本発明の実施例は、走査時間ブロックに基づく情報伝送方法および装置を提出し、新たなビーム／ポート走査リソース構造を定義し、走査時間ブロックを分散配置してデータ伝送サブフレームに挿入し、すなわち、走査周期内のデータ伝送サブフレームのシンボルの一部または全部を走査時間ブロックとして配置する。また、データ伝送サブフレームにおける下り制御領域は、走査時間ブロック内の走査信号チャネル以外のリソースをスケジューリングし、同一ポートまたは同一ビームのデータを送信することができる。
【発明の効果】
【００１４】
関連技術と比べ、走査周期内の同一数の走査時間ブロックが保証される前提（すなわち、走査遅延が増加しない）で、データ伝送がより柔軟になり、走査時間ブロック内の残りのリソースを更に利用しやすくなり、リソースの利用効率を向上させる。また、走査サブフレームに含まれる走査時間ブロックの数が減少し、全長が短縮され、走査サブフレームの送信によるサービス伝送の遅延への影響も減少した。また、本発明の実施例は、データ伝送サブフレームにおける予約領域以外のシンボルを走査時間ブロックとして配置することを支持し、このように、走査時間ブロックは元のポート制御情報の送信に影響を及ぼさず、すなわち、所定のポートで重要な情報を伝達することができ、これによって、システムの安定性を大きく向上させる。
【００１５】
図面および詳細な説明を読んで理解した上、他の態様が理解できる。
【図面の簡単な説明】
【００１６】
【図１】関連技術における連続走査サブフレームの構造模式図である。
【図２】本発明の実施例に係る走査時間ブロックに基づく情報伝送方法のフローチャートである。
【図３】本発明の実施例の走査時間ブロックの内部構造の模式図である。
【図４】実施例１に対応する走査時間ブロックの配置模式図である。
【図５】実施例２に対応する下り走査時間ブロックの配置模式図である。
【図６】実施例２に対応する別の下り走査時間ブロックの配置模式図である。
【図７】実施例２に対応する上り走査時間ブロックの配置模式図である。
【図８】実施例２に対応する別の上り走査時間ブロックの配置模式図である。
【図９】実施例３に対応する走査時間ブロックの配置模式図である。
【図１０】実施例３に対応する別の走査時間ブロックの配置模式図である。
【図１１】実施例３に対応する更なる走査時間ブロックの配置模式図である。
【図１２】実施例４に対応する走査時間ブロックの配置模式図である。
【図１３】実施例５に対応する走査時間ブロックの配置模式図である。
【図１４】実施例６に対応する走査時間ブロックの配置模式図である。
【図１５】実施例７に対応する走査時間ブロックの配置模式図である。
【図１６】実施例８に対応する走査時間ブロックの配置模式図である。
【図１７】実施例９に対応する走査時間ブロックの配置模式図である。
【図１８】実施例９に対応する別の走査時間ブロックの配置模式図である。
【図１９】実施例１０に対応する走査時間ブロックの配置模式図である。
【図２０】実施例１１に対応する同期信号ブロックに採用されるサブキャリア間隔が２４０ｋＨｚである場合のマッピング構造模式図である。
【図２１】実施例１１に対応する同期信号ブロックに採用されるサブキャリア間隔が１２０ｋＨｚである場合のマッピング構造模式図である。
【図２２】実施例１１に対応する同期信号ブロックに採用されるサブキャリア間隔が３０ｋＨｚである場合のマッピング構造模式図である。
【図２３】実施例１１に対応する同期信号ブロックに採用されるサブキャリア間隔が１５ｋＨｚである場合のマッピング構造模式図である。
【図２４】実施例１１に対応する同期信号ブロックに採用されるサブキャリア間隔が１５ｋＨｚである場合の別のマッピング構造模式図である。
【図２５】実施例１１に対応する同期信号ブロックに採用されるサブキャリア間隔が２４０ｋＨｚである場合の別のマッピング構造模式図である。
【図２６】実施例１２に対応する同期信号ブロックに採用されるサブキャリア間隔が２４０ｋＨｚである場合のマッピング構造模式図である。
【図２７】実施例１２における同期信号ブロックが０．５ｍｓの境界を越えた模式図である。
【図２８】実施例１３における同期信号ブロックのマッピング構造模式図である。
【図２９】実施例１４における同期信号ブロックのマッピング構造模式図である。
【図３０】本発明の実施例に係る走査時間ブロックに基づく情報伝送装置の模式図である。
【発明を実施するための形態】
【００１７】
以下、図面を参照しながら本発明の実施例について詳細に説明し、以下に説明する実施例は、本願を説明および解釈するためのものに過ぎず、本願を限定するものではないことが理解されるべきである。
【００１８】
なお、本願において、走査時間間隔（ｓｗｅｅｐｉｎｇ  ｔｉｍｅ  ｉｎｔｅｒｖａｌ）は、走査サブフレーム（ｓｗｅｅｐｉｎｇ  ｓｕｂｆｒａｍｅ）、またはビーム走査時間間隔（ｂｅａｍ  ｓｗｅｅｐｉｎｇ  ｔｉｍｅ  ｉｎｔｅｒｖａｌ）、またはビーム走査サブフレーム（ｂｅａｍ  ｓｗｅｅｐｉｎｇ  ｓｕｂｆｒａｍｅ）と呼ばれてもよい。データ伝送サブフレームは、データ伝送時間間隔（Ｔｉｍｅ  Ｉｎｔｅｒｖａｌ）と呼ばれてもよい。走査時間間隔は、１つまたは複数の連続するデータ伝送サブフレームであってもよい。走査時間ブロック（ｓｗｅｅｐｉｎｇ  ｔｉｍｅ  ｂｌｏｃｋ）は走査ブロック（ｓｗｅｅｐｉｎｇ  ｂｌｏｃｋ）、またはビーム走査時間ブロック（ｂｅａｍ  ｓｗｅｅｐｉｎｇ  ｔｉｍｅ  ｂｌｏｃｋ）、またはビーム走査ブロック（ｂｅａｍ  ｓｗｅｅｐｉｎｇ  ｂｌｏｃｋ）と呼ばれてもよい。また、前記「ビーム」および「ポート」の意味は同じであり、ここでは区別せずに通用してもよい。
【００１９】
本発明の実施例は、走査時間ブロックに基づく情報伝送方法を提供する。図２に示すように、本実施例に係る走査時間ブロックに基づく情報伝送方法は、
走査周期内のデータ伝送サブフレームのシンボルの一部または全部を走査時間ブロックとして配置するステップ２０１と、
走査信号チャネルを前記走査時間ブロック内に担持させて伝送するステップ２０２と、
を含む。
【００２０】
ここで、前記走査信号チャネルとは、全てのポートまたはビームにおいてポーリング送信する必要がある信号または信号およびチャネルである。
【００２１】
ステップ２０１は、走査周期内の１つまたは複数のデータ伝送サブフレームのシンボルの一部または全部を１つまたは複数の走査時間ブロックとして配置することを含んでもよい。
【００２２】
ここで、走査周期内の１つのデータ伝送サブフレームのシンボルの一部を１つまたは複数の走査時間ブロックとして配置してもよいし、または、走査周期内の１つのデータ伝送サブフレームのシンボルの全部を１つまたは複数の走査時間ブロックとして配置してもよいし、または、走査周期内の複数のデータ伝送サブフレームのシンボルの一部または全部をそれぞれ１つの走査時間ブロックとして配置してもよいし、または、走査周期内の複数のデータ伝送サブフレームのシンボルの一部または全部をそれぞれ複数の走査時間ブロックとして配置してもよい。すなわち、走査周期内の１つのデータ伝送サブフレームに１つまたは複数の走査時間ブロックを配置し、それぞれの走査時間ブロックが１つまたは複数のシンボルを占めるようにしてもよいし、または、走査周期内の複数のデータ伝送サブフレームに１つまたは複数の走査時間ブロックをそれぞれ配置し、それぞれの走査時間ブロックが１つまたは複数のシンボルを占めるようにしてもよい。
【００２３】
例示的な実施形態において、ステップ２０１は、走査周期内の１つまたは複数のデータ伝送サブフレーム内の予約領域以外のシンボルを１つまたは複数の走査時間ブロックとして配置することを含んでもよい。
【００２４】
例示的な実施形態において、走査周期内の１つまたは複数のデータ伝送サブフレーム内の予約領域以外のシンボルを１つまたは複数の走査時間ブロックとして配置すると、前記走査時間ブロックが配置されたデータ伝送サブフレームの構造は、
下り制御領域および下り走査時間ブロックの組み合わせと、
下り制御領域、ガードインターバル、及び上り走査時間ブロックの組み合わせと、
下り制御領域、下り走査時間ブロック、ガードインターバル、及び上り制御領域の組み合わせと、
下り制御領域、ガードインターバル、上り走査時間ブロック、及び上り制御領域の組み合わせと、
下り制御領域、下り走査時間ブロック、ガードインターバル、上り走査時間ブロック、及び上り制御領域の組み合わせとのいずれか１種であってもよい。
【００２５】
ここで、前記下り制御領域、下り走査時間ブロック、ガードインターバル、上り走査時間ブロック、上り制御領域は、それぞれ１つまたは複数のシンボルを含み、例えば、周波数多重（ＯＦＤＭ）シンボルを含む。
【００２６】
例示的な実施形態において、前記走査周期内の１つまたは複数のデータ伝送サブフレーム内の予約領域以外のシンボルを１つまたは複数の走査時間ブロックとして配置することは、走査周期内の１つまたは複数の連続するデータ伝送サブフレーム内の予約領域以外のシンボルの全部を走査時間ブロックとして配置することを含んでもよい。ここで、走査周期内の１つまたは複数の連続するデータ伝送サブフレーム内の予約領域以外のシンボルの全部を走査時間ブロックとして配置すると、前記走査時間ブロックが配置された１つまたは複数の連続するデータ伝送サブフレームは、１つの走査時間間隔（ｓｗｅｅｐｉｎｇ  ｔｉｍｅ  ｉｎｔｅｒｖａｌ）を構成する。
【００２７】
例示的な実施形態において、前記予約領域は、下り制御領域、上り制御領域のうちの１種または複数種を含んでもよい。
【００２８】
例示的な実施形態において、前記走査周期内のデータ伝送サブフレームのシンボルの一部または全部を走査時間ブロックとして配置することは、走査周期内の１つまたは複数の連続するデータ伝送サブフレームのシンボルの全部を走査時間ブロックとして配置することを含んでもよい。ここで、走査周期内の１つまたは複数のデータ伝送サブフレームのシンボルの全部を走査時間ブロックとして配置すると、前記走査時間ブロックが配置された１つまたは複数の連続するデータ伝送サブフレームは、１つの走査時間間隔を構成する。
【００２９】
このような配置では、関連技術と異なり、走査時間間隔の長さがデータ伝送サブフレームの長さの倍数であり、データ伝送サブフレームの長さと関係なく任意の量ではない。このようにして、データ伝送サブフレームの開始点の潜在的な位置を変えることがなく、すなわち、端末は、固定のサブフレーム長に基づいてサブフレームの開始点を見つけ、且つサブフレームの開始点において制御チャネルをブラインド検出することができる。しかし、関連技術において、走査時間間隔とデータ伝送サブフレームの長さとは直接関係がなく、このようにして、１つの走査時間間隔を挿入すると、データ伝送サブフレームの開始点の位置は固定せず、端末は、データ伝送サブフレームの開始点においての制御チャネルを見逃しないことを保証するために、シンボルごとにブラインド検出する必要がある。端末のブラインド検出の複雑さが高まる。
【００３０】
例示的な実施形態において、前記走査周期内のデータ伝送サブフレームのシンボルの一部または全部を走査時間ブロックとして配置することは、走査周期内のデータ伝送サブフレームのシンボルの一部または全部を１つの走査時間ブロックのみとして配置することを含んでもよい。すなわち、データ伝送サブフレーム内に１つの走査時間ブロックのみを配置する。
【００３１】
ここで、走査周期内のデータ伝送サブフレームのシンボルの一部または全部を１つの走査時間ブロックのみとして配置すると、前記データ伝送サブフレームのポートまたはビームは、前記走査時間ブロックのポートまたはビームのサブセットまたはフルセットである。
【００３２】
例示的な実施形態において、前記走査周期とは、前記走査信号チャネルが全てのポートまたはビームにおいて１回ポーリング送信するための時間間隔であってもよく、前記走査周期内に複数のサブフレームが含まれる。例示的な実施形態において、前記走査周期は、５ｍｓ（ｍｓ）、１０ｍｓ、２０ｍｓ、４０ｍｓ、８０ｍｓのいずれか１種に予め定義される。
【００３３】
例示的な実施形態において、前記走査周期内に１つまたは複数の走査時間ブロックが含まれ、それぞれの走査時間ブロックは、１つまたは複数のポートの走査信号チャネルを送信し、１つまたは複数のシンボルを占め、前記走査周期内に全てのポートまたはビームの走査信号チャネルの送信を完成する。
【００３４】
例示的な実施形態において、前記走査時間ブロックは、下り走査時間ブロック、上り走査時間ブロックのうちの１種または複数種を含み、前記走査信号チャネルは、上り走査信号チャネル、下り走査信号チャネルのうちの１種または複数種を含む。ここで、前記下り走査時間ブロックは、セルサーチ、下りポートまたはビームの測定および識別の少なくとも１つに用いられる下り走査信号チャネルを担持し、前記下り走査信号チャネルは、前記ポートまたはビームに対応する下り同期信号、システムインフォメーション、下りポート測定参照信号という信号またはチャネルのうちの１種または複数種を含む。前記上り走査時間ブロックは、上りアクセス、上りポートまたはビームの測定および識別の少なくとも１つに用いられる上り走査信号チャネルを担持し、前記上り走査信号チャネルは、前記ポートまたはビームに対応する上りランダムアクセス要求信号、上りポート測定参照信号という信号またはチャネルのうちの１種または複数種を含む。
【００３５】
例示的な実施形態において、前記走査時間ブロックにおける走査信号チャネルは、更に、前記走査時間ブロックの時間領域位置情報を指示するために用いられ、前記時間領域位置情報は、走査時間ブロックが位置するフレーム、走査時間ブロックが位置するサブフレーム、走査時間ブロックの前記サブフレームにおける位置の１種または複数種を含む。ここで、前記走査時間ブロックの前記サブフレームにおける位置とは、前記走査時間ブロックが前記サブフレームで占めるシンボル情報、または、前記走査時間ブロックと前記走査時間ブロックが位置するサブフレームの境界との間のオフセット（ｏｆｆｓｅｔ）情報である。
【００３６】
例示的な実施形態において、前記データ伝送サブフレームは、特定のポートまたはビームにおける１つまたは複数の端末のデータを送信または受信するために用いられてもよい。
【００３７】
例示的な実施形態において、前記データ伝送サブフレームの構造は、
下り制御領域および下りデータ領域の組み合わせと、
下り制御領域、ガードインターバル、及び上りデータ領域の組み合わせと、
下り制御領域、下りデータ領域、ガードインターバル、及び上り制御領域の組み合わせと、
下り制御領域、ガードインターバル、上りデータ領域、及び上り制御領域の組み合わせと、
下り制御領域、下りデータ領域、ガードインターバル、上りデータ領域、及び上り制御領域の組み合わせとのいずれか１種を含んでもよい。
【００３８】
ここで、前記下り制御領域、下りデータ領域、ガードインターバル、上りデータ領域、上り制御領域は、それぞれ１つまたは複数のシンボルを含み、例えば、周波数多重（ＯＦＤＭ）シンボルを含む。
【００３９】
例示的な実施形態において、データ伝送サブフレームの構造が下り制御領域と下りデータ領域との組み合わせを含む場合、上記データ伝送サブフレームに走査時間ブロックを配置すると、前記走査時間ブロックが配置されたデータ伝送サブフレームの構造は、下り制御領域と下り走査時間ブロックとの組み合わせ、または、下り制御領域と、下り走査時間ブロックと、下りデータ領域との組み合わせであってもよい。
【００４０】
データ伝送サブフレームの構造が下り制御領域と、ガードインターバルと、上りデータ領域との組み合わせを含む場合、上記データ伝送サブフレームに走査時間ブロックを配置すると、前記走査時間ブロックが配置されたデータ伝送サブフレームの構造は、下り制御領域と、ガードインターバルと、上り走査時間ブロックとの組み合わせ、または、下り制御領域と、ガードインターバルと、上り走査時間ブロックと、上りデータ領域との組み合わせであってもよい。
【００４１】
データ伝送サブフレームの構造が下り制御領域と、下りデータ領域と、ガードインターバルと、上り制御領域との組み合わせを含む場合、上記データ伝送サブフレームに走査時間ブロックを配置すると、前記走査時間ブロックが配置されたデータ伝送サブフレームの構造は、下り制御領域と、下り走査時間ブロックと、ガードインターバルと、上り制御領域との組み合わせ、または、下り制御領域と、下り走査時間ブロックと、下りデータ領域と、ガードインターバルと、上り制御領域との組み合わせ、または、下り制御領域と、下りデータ領域と、ガードインターバルと、上り走査時間ブロックと、上り制御領域との組み合わせ、または、下り制御領域と、下りデータ領域と、ガードインターバルと、上り制御領域と、上り走査時間ブロックとの組み合わせであってもよい。
【００４２】
データ伝送サブフレームの構造が下り制御領域と、ガードインターバルと、上りデータ領域と、上り制御領域との組み合わせである場合、上記データ伝送サブフレームに走査時間ブロックを配置すると、前記走査時間ブロックが配置されたデータ伝送サブフレームの構造は、下り制御領域と、ガードインターバルと、上り走査時間ブロックと、上り制御領域との組み合わせ、または、下り制御領域と、ガードインターバルと、上り走査時間ブロックと、上りデータ領域と、上り制御領域との組み合わせであってもよい。
【００４３】
データ伝送サブフレームの構造が下り制御領域と、下りデータ領域と、ガードインターバルと、上りデータ領域と、上り制御領域との組み合わせを含む場合、上記データ伝送サブフレームに走査時間ブロックを配置すると、前記走査時間ブロックが配置されたデータ伝送サブフレームの構造は、下り制御領域と、下り走査時間ブロックと、ガードインターバルと、上り走査時間ブロックと、上り制御領域との組み合わせ、または、下り制御領域と、下り走査時間ブロックと、下りデータ領域と、ガードインターバルと、上り走査時間ブロックと、上り制御領域との組み合わせ、または、下り制御領域と、下り走査時間ブロックと、ガードインターバルと、上り走査時間ブロックと、上りデータ領域と、上り制御領域との組み合わせ、または、下り制御領域と、下り走査時間ブロックと、下りデータ領域と、ガードインターバルと、上り走査時間ブロックと、上りデータ領域と、上り制御領域との組み合わせ、または、下り制御領域と、下り走査時間ブロックと、下りデータ領域と、ガードインターバルと、上りデータ領域と、上り制御領域との組み合わせ、または、下り制御領域と、下り走査時間ブロックと、ガードインターバルと、上りデータ領域と、上り制御領域との組み合わせ、または、下り制御領域と、下りデータ領域と、ガードインターバルと、上り走査時間ブロックと、上りデータ領域と、上り制御領域との組み合わせ、または、下り制御領域と、下りデータ領域と、ガードインターバルと、上り走査時間ブロックと、上り制御領域との組み合わせであってもよい。
【００４４】
例示的な実施形態において、本実施例の方法は、下りデータまたは上りデータを前記走査時間ブロック内に担持させて伝送することを更に含んでもよい。ここで、前記下りデータまたは上りデータは、前記走査時間ブロックの前のサブフレームまたはシンボル内の下り制御領域において割り当てられるまたはスケジューリングされる。
【００４５】
例示的な実施形態において、前記下り制御領域が用いるポートまたはビームは、前記下りデータの所属する走査時間ブロックのポートまたはビームのサブセットまたはフルセットである。
【００４６】
例示的な実施形態において、前記下りデータまたは上りデータが用いるポートまたはビームは、前記走査時間ブロックのポートまたはビームのサブセットまたはフルセットであり、走査時間ブロック内の前記走査信号チャネルに占められていないリソースを使用する。
【００４７】
例示的な実施形態において、前記下りデータまたは上りデータは、前記走査時間ブロック内の走査信号チャネルと周波数多重される。
【００４８】
例示的な実施形態において、下り制御には、走査時間ブロック内のデータ伝送リソースに対する上りスケジューリング（Ｕｐｌｉｎｋ  ｓｃｈｅｄｕｌｉｎｇ）情報または下り割当（Ｄｏｗｎｌｉｎｋ  ａｓｓｉｇｎｍｅｎｔ）情報が含まれる。
【００４９】
例示的な実施形態において、前記走査時間ブロック内のデータ伝送リソースは、前記データ伝送サブフレーム内のデータ伝送リソースと関連して割り当て・指示され、または、独立して割り当て・指示される。
【００５０】
例示的な実施形態において、前記下り制御は、前記走査時間ブロック内のデータ伝送リソースの時間領域位置情報、前記走査時間ブロック内のデータ伝送リソースの周波数領域位置情報のうちの１種または複数種を更に含む。
【００５１】
例示的な実施形態において、前記走査時間ブロック内のデータ伝送リソースの時間領域位置情報は、
前記走査時間ブロックと前記下り制御が位置するデータ伝送サブフレームと間の絶対時間オフセット（ここで、前記絶対時間オフセットは、オフセットしたシンボル数であってもよいし、オフセットした絶対時間であってもよい）と、
前記走査時間ブロックが位置するサブフレームと前記下り制御が位置するデータ伝送サブフレームとの間の絶対時間オフセット、および前記走査時間ブロックの前記サブフレーム内の位置と、
前記走査時間ブロックが位置するサブフレームのインデックス、および前記走査時間ブロックの前記サブフレーム内の位置と、
のいずれか１種によって説明される。
【００５２】
ここで、前記走査時間ブロックの前記サブフレーム内の位置とは、前記走査時間ブロックが前記サブフレームを占めるシンボル情報、または、前記走査時間ブロックと前記走査時間ブロックが位置するサブフレームの境界との間のオフセット（ｏｆｆｓｅｔ）情報である。
【００５３】
例示的な実施形態において、走査時間ブロックが等間隔でデータ伝送サブフレームにマッピングされる。
【００５４】
例示的な実施形態において、前記走査時間ブロックが等間隔でデータ伝送サブフレームにマッピングされることは、
前記走査周期Ｔ内の全ての走査時間ブロックをＮグループに分け、各グループの走査時間ブロックが固定の時間間隔でデータ伝送サブフレームにマッピングされ、各グループ内の隣接する前記走査時間ブロックが等間隔でマッピングされること、または、
前記走査周期内の全ての隣接する前記走査時間ブロックが等間隔でマッピングされること、または、
全ての隣接する前記走査時間ブロックが等間隔でマッピングされること、
を含んでもよい。
【００５５】
ここで、Ｎは正の整数であってもよい。
【００５６】
例示的な実施形態において、前記各グループの走査時間ブロックが固定の時間間隔でデータ伝送サブフレームにマッピングされることは、隣接する２グループの走査時間ブロック内の１番目の走査時間ブロックの開始境界間のオフセットが固定であることを含んでもよい。
【００５７】
例示的な実施形態において、前記隣接する２グループの走査時間ブロック内の１番目の走査時間ブロックの開始境界間のオフセットは、前記走査周期ＴとＮの比に等しい。
【００５８】
以下、１つの例により本実施例における走査時間ブロックの構造について説明する。図３は、本発明の実施例の走査時間ブロックの内部構造の模式図である。ここで、図３（ａ）は下り走査時間ブロックの構造の例であり、図３（ｂ）は上り走査時間ブロックの構造の例である。
【００５９】
図３（ａ）に示すように、この例において、下り走査時間ブロックは２つのシンボルを占め、同期信号（ＳＳ）とシステムインフォメーション（ＳＩ）とは、時分割多重され、それぞれ１つのシンボルの時間領域リソースを占め、周波数領域でそれぞれ６つのリソースブロック（ＲＢ、Ｒｅｓｏｕｒｃｅ  Ｂｌｏｃｋ）を占め、両者は異なるＲＢ数を占めてもよい。ビーム測定参照信号（ＢＲＳ）とＳＳ／ＳＩとは、周波数多重され、端末のビームに対する測定および識別に用いられる。走査時間ブロックの他の多重方式も可能であり、例えば、ＳＳ、ＳＩ、ＢＲＳがいずれも時分割多重され、またはＳＳ、ＳＩ、ＢＲＳがいずれも周波数多重され、または他の多重方式である。また、下り走査時間ブロックには、必ずしも全ての下り走査信号チャネル（すなわち、同期信号ＳＳ、システムインフォメーションＳＩ、ビーム測定参照信号ＢＲＳ）が含まれるのではなく、一部の下り走査時間ブロックは下り走査信号チャネルにおける一部の信号またはチャネルのみを含む可能性があり、例えば、初期アクセスのための下り走査時間ブロックは、ＳＳおよびＳＩのみを含んでもよく、後続のビームトラッキング（ｂｅａｍ  ｔｒａｃｋｉｎｇ）のための下り走査時間ブロックは、ＢＲＳのみを含み、端末の下りビームに対する測定識別のみを支持すればよい。他の一部の下り走査信号チャネルを含む形式も可能である。以下の実施例において、３種類の信号またはチャネルが全て含まれる場合を例として説明し、下り走査信号チャネルが一部の信号またはチャネルのみを含む場合も本願の保護範囲に属する。
【００６０】
図３（ｂ）に示すような上り走査時間ブロックにおいて、ＲＡＣＨはランダムアクセス要求リソースを示し、ＢＲＳは上りビーム測定参照信号であり、図３（ｂ）において、２つのリソースが周波数多重の関係であるが、本願では他の多重方式も除外しない。また、上り走査時間ブロック内には、両者のうちのいずれかのみを含んでもよく、例えばＢＲＳのみを含み、ビームトラッキングに用いられる。以下の実施例では、両者が全て含まれる場合を例として説明し、上り走査信号チャネルが一部の信号またはチャネルのみを含む場合も本願の保護範囲に属する。
【００６１】
以下、いくつかの実施例により本願を詳細に説明する。
【００６２】
実施例１
本実施例に係る下り走査時間ブロックの配置構造は図４に示すとおり、本実施例において、データ伝送サブフレームの構造について、下り制御領域＋下りデータ領域を例として説明する。
【００６３】
１つの走査または同期周期（ｓｗｅｅｐｉｎｇ／ｓｙｎｃ  ｐｅｒｉｏｄ）（例えば、５ｍｓ）内に、複数の下り（ＤＬ）データ伝送サブフレームが含まれ、これら下りデータ伝送サブフレームに使用されるポートまたはビームは、サービス伝送の需要に応じて動的にスケジューリングされ、すなわち、あるポートまたはビーム方向に伝送しようとする下りデータがあると、対応するポートの下り制御および下りデータを送信するための１つの下りデータ伝送サブフレームを配置する。
【００６４】
この走査周期内に、複数の走査時間ブロックの配置を完成する必要があり、これら走査時間ブロックは、全てのポート走査信号チャネルのポーリング送信に使用され、すなわち、前記複数の走査時間ブロック内に、各ポートまたはビームで走査信号チャネルを少なくとも１回送信することを完了する必要がある。
【００６５】
ここで、前記走査時間ブロックは、セルサーチ（同期信号）、ポートまたはビームの測定および識別（例えば、ビーム測定参照信号）のための走査信号チャネルを担持し、前記走査信号チャネルは、前記ポートまたはビームに対応する同期信号、システムメッセージ、ビーム測定参照信号という信号またはチャネルに含まれる。図４に示す走査時間ブロックの構造は１つの例に過ぎず、この例において、走査時間ブロックは２つのシンボルを占め、同期信号ＳＳとシステムインフォメーションＳＩとは時分割多重され、それぞれ１つのシンボルの時間領域リソースを占め、周波数領域ではそれぞれ６つのＲＢを占め、両者は異なるＲＢ数を占めてもよい。ビーム測定参照信号ＢＲＳとＳＳ／ＳＩとは周波数多重され、端末のビームに対する測定および識別に用いられる。走査時間ブロックの他の多重方式も可能であり、例えば、ＳＳ、ＳＩ、ＢＲＳがいずれも時分割多重され、またはＳＳ、ＳＩ、ＢＲＳがいずれも周波数多重され、または他の多重方式である。
【００６６】
走査時間ブロックにおける走査信号チャネルは、更に、この走査時間ブロックの時間領域位置情報を指示するために用いられ、時間領域位置情報は、走査時間ブロックが位置するフレーム、走査時間ブロックが位置するサブフレーム、および走査時間ブロックの前記サブフレームにおける位置を含む。走査時間ブロックのサブフレームにおける位置は、すなわち、前記走査時間ブロックがサブフレーム内のどのシンボルを占めるかであり、この情報により、前記走査時間ブロックが位置するサブフレームの境界情報も間接的に指示される。本実施例において、ＳＩには走査時間ブロックの時間領域位置情報が担持され、すなわち、ＳＩには、ＳＩの属する走査時間ブロックが位置するフレーム番号、サブフレーム番号、および走査時間ブロックの前記データ伝送サブフレームにおける位置情報が含まれる。下りサブフレーム（ＤＬサブフレーム）２における走査時間ブロック（ｓｗｅｅｐｉｎｇ  ｂｌｏｃｋ）２を例とし、そのうちのＳＩには、システムフレーム番号が０００１００１１１０で、サブフレーム番号が２で、走査時間ブロックのデータ伝送サブフレームにおける位置が最後の２つのシンボル（シンボル１２、１３）で、対応するサブフレームの境界も決定することができる情報が担持される。末尾の走査サブフレーム内の走査時間ブロックについて、ＳＩに担持される情報は類似する。ｓｗｅｅｐｉｎｇ  ｂｌｏｃｋ  ５を例とし、そのうちのＳＩには、システムフレーム番号が０００１００１１１０で、サブフレーム番号が５で、走査時間ブロックの走査サブフレームにおける位置が最初の２つのシンボル（すなわち、シンボル０、１）であることが指示される。
【００６７】
走査時間ブロックの時間領域位置情報は、更に、走査信号チャネル内の他の信号により指示することができ、例えば、同期信号により一部の時間領域位置情報を指示する。１つの無線フレームに１０個のサブフレームが含まれると仮定すると、同期信号がいずれかのサブフレームに現れる可能性があるため、同期信号シーケンスを１０グループに分け、各グループの同期信号シーケンスとサブフレーム番号とのマッピング関係を予め定義し、端末が同期信号に対する検出によりサブフレーム番号を更に得ることができる。上記シーケンスリソースの区分によりサブフレーム番号を指示する方式のほか、同期信号が位置する周波数領域位置も１つの可能な選択肢であり、例えば、無線フレームにおけるサブフレームの数に応じて各走査時間ブロックに複数の同期信号の周波数領域位置を定義し、周波数領域位置とサブフレーム番号とのマッピング関係を予め定義する必要があり、端末は同期信号の周波数領域位置に対する判断により、サブフレーム番号情報を得る。上記２種類の方式に類似し、同期信号により走査時間ブロックのサブフレームにおける位置およびフレーム番号情報を指示することに用いられてもよい。
【００６８】
それに類似し、ビーム測定参照信号（ＢＲＳ）で走査時間ブロックの時間領域位置情報を指示してもよく、具体的な方式は同期信号で時間領域位置情報を指示する方式と同一であり、ここでは説明を省略する。
【００６９】
また、走査時間ブロックの時間領域位置情報は、更に、ＳＳ／ＳＩ／ＢＲＳとの３者のうちの任意２つまたは３つの組み合わせにより指示されてもよく、例えば、ＳＩによりフレーム番号を指示し、ＳＳによりサブフレーム番号を指示し、ＢＲＳにより走査時間ブロックのサブフレームにおける位置を指示する。例示的な実施形態において、ＳＩにはフレーム番号情報が担持され、ＳＳのシーケンスがグループ分けされ、各グループがサブフレーム番号に対応する。ＢＲＳのシーケンスがグループ分けされ、各グループが走査時間ブロックのサブフレームにおける位置に対応する。他の合わせて指示する方式も支持される。
【００７０】
同一の走査時間ブロックは、１つまたは複数のポートまたはビームの走査信号チャネルを送信してもよく、すなわち、同一の走査時間ブロック内に、複数のＲＦチェーンが走査信号チャネルを同時に送信し、異なるＲＦチェーンが送信した走査信号チャネルの内容は、同じであってもよいし、異なってもよい。
【００７１】
図４に示すように、走査周期全体内に、４つの下りデータ伝送サブフレーム（ＤＬサブフレーム）１〜４を有し、それぞれの下りデータ伝送サブフレームの末尾（２つのシンボル）に１つの走査時間ブロックが配置され、下りデータ伝送サブフレームのポートはこの走査時間ブロックのポートのサブセットまたはフルセットである。例示的な実施形態において、前記走査時間ブロックは複数のポートまたはビーム（例えば、ポート１〜４）を含み、複数のポートまたはビームの走査信号チャネルを送信し、下りデータ伝送サブフレームのポートは上記複数のポートまたはビームの一部（例えば、ポート１、２）または全てである。
【００７２】
本実施例において、４つの下りデータ伝送サブフレームのみをスケジューリングし、走査時間ブロックが８つあるため、残りの４つの走査時間ブロック（ｓｗｅｅｐｉｎｇ  ｂｌｏｃｋ）５〜８は、走査周期の最後のサブフレーム内に上記残りの４つの走査時間ブロックを含み、すなわち、この下りデータ伝送サブフレームのシンボルの全部（８つ）は走査時間ブロックとして配置される。
【００７３】
このように、走査周期内に、全ての走査時間ブロックの配置を完成し、且つ、走査時間ブロックは各下りデータ伝送サブフレームに分散される。
【００７４】
例示的な実施形態において、走査時間ブロック内の走査信号チャネル以外の他のリソースは、下りデータを更に担持するために用いることができ、ｓｗｅｅｐｉｎｇ  ｂｌｏｃｋ  １〜４のポートが対応する下りデータ伝送サブフレームに使用されるポートを含むため、下りデータ伝送サブフレーム内の下り制御領域は、ｓｗｅｅｐｉｎｇ  ｂｌｏｃｋ内の残りのリソースをスケジューリングして下りデータを送信するために用いることができる。下り制御および下りデータに使用されるポートまたはビームは、いずれも前記走査時間ブロックのポートまたはビームのサブセットまたはフルセットであるが、下り制御および下りデータは、同一ポートまたはビームを使用することを制限しない。
【００７５】
例示的な実施形態において、ｓｗｅｅｐｉｎｇ  ｂｌｏｃｋ内の下りリソース（図４における点状の部分に示すように）は、元の下りデータ伝送サブフレームにおける下りデータチャネルリソースと合わせて番号付け、共にスケジューリングし、且つ、同一の変調符号化方式を採用してもよい。例えば、元の下りデータ伝送リソース内に５０個のＲＢが含まれ、ｓｗｅｅｐｉｎｇ  ｂｌｏｃｋ内の下りデータの伝送に使用可能なリソースが１０個のＲＢを有し、６０個のＲＢが合わせて番号付けられ、端末に下りデータを受信するＲＢリソースを指示し、例えば、ＵＥ１は、その下りデータがＲＢ３〜４を占め、ＵＥ２の下りデータがＲＢ６０〜６４を占める。なお、前の５０個のＲＢは後の１０個のＲＢと時間領域リソースが異なり、後の１０個のＲＢは時間領域のみが２つのシンボルしか占めない。そのため、基地局が下りスケジューリングを行う際に、ＲＢに対応する時間領域幅、および時間領域起始位置を指示する必要があり、例えば、ＤＬサブフレーム  １が合計１４つのシンボルを占め、下り制御領域が２つのシンボルを占め、下りデータ領域が１０個のシンボルを占め、ｓｗｅｅｐｉｎｇ  ｂｌｏｃｋが２つのシンボルを占めると、ＵＥ１が占めるＲＢ３〜４は時間領域で１０個のシンボルを占め、ＵＥ２が占めるＲＢ６０〜６５は時間領域で２つのシンボル（シンボル１２、１３）を占め、開始点がシンボル１２（シンボルはシンボル０〜シンボル１３のように番号付けられる）である。
【００７６】
走査時間ブロック内の下りデータリソース（１０個のＲＢ）については、システムがこの１０個のＲＢの周波数領域位置を既に予め定義すれば、ＵＥにＲＢ番号および上述した時間領域位置を指示すればよく、システムが１０個のＲＢの周波数領域位置を予め定義していなければ、ＲＢの周波数領域位置を更に指示する必要があり、例えば、この１０個のＲＢは、システム帯域幅の両端にそれぞれ５つのＲＢに分布される。
【００７７】
また、本実施例に係る方式は上り走査時間ブロックの配置にも適用され、なお、図４に示す下り走査時間ブロックを対応して上り走査時間ブロックに置き換えることができるが、その区別は、データサブフレーム内に挿入された上り走査時間ブロックの前に、下りから上りへの変換のガードインターバルを予約する必要があることである。
【００７８】
実施例２
実施例１において、下りデータ伝送サブフレームを例として説明したが、走査周期内に、各データ伝送サブフレームは他のタイプであってもよい。図５（ａ）は内蔵型構造（ｓｅｌｆ−ｃｏｎｔａｉｎｅｄ）の下りデータ伝送サブフレームを示し、すなわち、サブフレームの末尾にガードインターバル（ＧＰ）および上り制御領域が含まれる。図６（ａ）は上りデータ伝送サブフレームを示し、図５（ａ）および図６（ａ）はそれぞれ１つのサブフレームを具現化した場合を示し、全体構造は実施例１における説明と類似する。この２種類のデータ伝送サブフレームの下で、走査時間ブロックをどのようとして配置するかをそれぞれ考えると、図５（ｂ）に示すように、データ伝送サブフレームの下り部分の末尾の２つのシンボルを下りｓｗｅｅｐｉｎｇ  ｂｌｏｃｋ  １として配置するか、または、下り制御の後、下りデータの前に２つのシンボルを下りｓｗｅｅｐｉｎｇ  ｂｌｏｃｋ  １として配置する。図６（ｂ）に示すように、下り制御の後、下りデータの前に２つのシンボルを下りｓｗｅｅｐｉｎｇ  ｂｌｏｃｋ  １として配置することができる。この２種類のサブフレーム構造で、データ伝送サブフレーム内の下り制御領域は依然として同一ポートの下りデータを送信するために、ｓｗｅｅｐｉｎｇ  ｂｌｏｃｋ内の走査信号チャネル以外のリソースをスケジューリングすることができ、相関方式は実施例１と同じであり、ここでは説明を省略する。
【００７９】
本実施例に提供される図５（ａ）および図６（ａ）に示すようなデータサブフレーム構造で、上り走査時間ブロックを配置してもよい。図７は、図５（ａ）におけるデータ伝送サブフレーム構造で、１つの上り走査時間ブロックが配置された２種類の配置形式を示し、例示的な実施形態において、上り走査時間ブロックは上り制御の前または後ろとして配置されてもよい。
【００８０】
図８は、図６（ａ）におけるデータ伝送サブフレーム構造で、１つの上り走査時間ブロックが配置された２種類の形式を示す。例示的な実施形態において、上り走査時間ブロックは上りデータの最初、または最後として配置されてもよい。
【００８１】
実施例３
本実施例は、依然として下りデータ伝送サブフレームに走査時間ブロックを配置することを例とし、他の可能な配置方式を説明する。
【００８２】
図９に示すように、下りデータ伝送サブフレームにおける下り制御の後、下りデータの前に２つのシンボルをｓｗｅｅｐｉｎｇ  ｂｌｏｃｋとして配置してもよい。
【００８３】
図１０に示すように、ｓｗｅｅｐｉｎｇ  ｂｌｏｃｋを下り制御領域の前の２つのシンボルとして配置してもよいが、このような方式で、下り制御はｓｗｅｅｐｉｎｇ  ｂｌｏｃｋ内の走査信号チャネル以外のリソースをスケジューリングすることができない。
【００８４】
図１１に示すように、ｓｗｅｅｐｉｎｇ  ｂｌｏｃｋを下りデータシンボルの中間に挿入してもよく、すなわち、ｓｗｅｅｐｉｎｇ  ｂｌｏｃｋは下りデータ領域を２つの部分に分ける。下り制御領域は依然としてｓｗｅｅｐｉｎｇ  ｂｌｏｃｋ内の走査信号チャネル以外のリソース送信下りデータをスケジューリングすることができる。実施例１に類似し、下りデータ伝送リソースは合わせて番号付けして割り当てることができ、例えば、図１１に示す構造で、シンボルは、下りデータが４つのシンボルで、ｓｗｅｅｐｉｎｇ  ｂｌｏｃｋが２つのシンボルで、下りデータが６つのシンボルであるようとして配置されてもよい。前の４つのシンボル周波数領域では５０個のＲＢに分けられ、ｓｗｅｅｐｉｎｇ  ｂｌｏｃｋ周波数領域に１０個のＲＢの下りデータ伝送リソースがあり、後の６つのシンボル周波数領域では５０個のＲＢに分けられる。３部分のリソースを合わせて１１０個のＲＢリソース（ＲＢ０〜ＲＢ１０９）に番号付け、基地局が端末に下りデータリソースを割り当てる際に、対応するＲＢの時間領域リソースの大きさおよび開始点を同時に指示する必要があり、例えば、ＲＢ０〜ＲＢ４９は、時間領域が４つのシンボルで、開始点がシンボル０であり、ＲＢ５０〜ＲＢ５９は、時間領域が２つのシンボルで、開始点がシンボル４であり、ＲＢ６０〜ＲＢ１０９は、時間領域が６つのシンボルで、開始点がシンボル６である。
【００８５】
実施例４
本実施例において、実施例１に類似する配置で、残りのｓｗｅｅｐｉｎｇ  ｂｌｏｃｋで集約された走査時間間隔（ｓｗｅｅｐｉｎｇ  ｔｉｍｅ  ｉｎｔｅｒｖａｌ）は、走査周期内の任意の位置（すなわち、最後のサブフレームに限定されない）に位置してもよい。図１２に示すように、走査周期内のＮ個目のデータ伝送サブフレームは全て下り走査時間ブロックとして配置され、１つの下り走査時間間隔（ｓｗｅｅｐｉｎｇ  ｔｉｍｅ  ｉｎｔｅｒｖａｌ）を形成する。他のデータ伝送サブフレームは依然として１つの下り走査時間ブロックを配置する。この場合、走査周期内にどのビーム送信データがスケジューリングされたかは事前に知られていると考えられ、ｓｗｅｅｐｉｎｇ  ｔｉｍｅ  ｉｎｔｅｒｖａｌはそれらのｓｗｅｅｐｉｎｇ  ｂｌｏｃｋを含むと、予め配置することができる。
【００８６】
また、走査周期内には走査時間ブロックを配置しないデータ伝送サブフレームが存在してもよい。
【００８７】
本実施例に係る走査時間ブロックの配置方式は、同様に上り走査時間ブロックの配置に適用し、なお、データ伝送サブフレームとして配置された上り走査時間ブロックの前に、下りから上りへの変換のためのガードインターバルを予約する必要がある。
【００８８】
実施例５
実施例１における配置に基づき、残りの下り走査時間ブロックが１つの下り走査時間間隔を構成することを制限せず、１つの走査周期内には複数のｓｗｅｅｐｉｎｇ  ｔｉｍｅ  ｉｎｔｅｒｖａｌが含まれてもよく、図１３に示すように、２つの走査時間間隔（ｓｗｅｅｐｉｎｇ  ｔｉｍｅ  ｉｎｔｅｒｖａｌ）１および２が存在し、他のデータ伝送サブフレームの配置は実施例１と同じである。
【００８９】
本実施例に係る走査時間ブロックの配置方式は、同様に上り走査時間ブロックの配置に適用し、なお、データ伝送サブフレームとして配置された上り走査時間ブロックの前に、下りから上りへの変換のためのガードインターバルを予約する必要がある。
【００９０】
また、上記実施例１〜実施例５に係る方法において、データ伝送サブフレームには１つの走査時間ブロックのみが配置され、各データ伝送サブフレームに複数の走査時間ブロックを配置する方式も支持され、すなわち、走査周期内の１つまたは複数のデータ伝送サブフレームに複数の走査時間ブロックを配置する。この複数の走査時間ブロックは、連続的として配置されてもよく、分散配置されてもよい。データ伝送サブフレームのポートは、上記複数の走査時間ブロックの１つのポートのサブセットまたはフルセットであり、それに対応し、データ伝送サブフレームのポートを含む走査時間ブロック内のデータ伝送リソースは、データ伝送サブフレームにおける下り制御領域によって割り当てたり、スケジューリングしたりすることができる。
【００９１】
実施例６
図１４は、本実施例に対応する走査時間ブロックの配置模式図を示す。
【００９２】
本実施例において、合計１０個の走査時間ブロックがあり、それぞれを２つのデータ伝送サブフレームに挿入され、本実施例において、以下のりデータ伝送サブフレームを例とし、ＤＬサブフレーム  １およびＤＬサブフレーム  ２は、走査時間ブロックが配置された下りデータ伝送サブフレームであり、下り制御領域以外の他の下りシンボルはいずれも走査時間ブロックとして配置される。２つの下りデータ伝送サブフレームは、走査時間ブロックが配置された後、１つの走査時間間隔（ｓｗｅｅｐｉｎｇ  ｔｉｍｅ  ｉｎｔｅｒｖａｌ）を構成する。本実施例における配置方式は、データ伝送サブフレームで比較的重要な領域を考えて保留し、他のシンボルを走査時間ブロックとして配置し、すなわち、現在の下り制御領域に送信する必要のある比較的重要な情報（例えば、下り制御が前の上りデータに対するフィードバック情報であり、または、後の上りデータに対するスケジューリング情報等である）があるため、データ伝送サブフレームに下り制御領域を保留する。
【００９３】
本実施例に類似し、データ伝送サブフレームに保留される領域が必ず下り制御領域であることを制限しなくてもよく、他のシンボルが保留されてもよい。このような方式で、データ伝送サブフレームは正常な需要に応じて配置され、走査時間ブロックは一定の順序で一部のシンボルを連続的に占め、比較的重要な、予約する必要のあるデータシンボルに遇うと、この部分のシンボルをスキップし、後の複数のシンボルに残りの走査時間ブロックを配置し続ける。
【００９４】
本実施例に係る走査時間ブロックの配置方式は、同様に上り走査時間ブロックの配置に適用し、なお、データ伝送サブフレームとして配置された上り走査時間ブロックの前に、下りから上りへの変換のためのガードインターバルを予約する必要がある。
【００９５】
実施例７
図１５に示すように、実施例６に類似し、連続する２つの下りデータ伝送サブフレームは、上り、下り制御領域以外の他のシンボルの全部がいずれも走査時間ブロックである場合、この２つの下りデータ伝送サブフレームは１つの走査時間間隔（ｓｗｅｅｐｉｎｇ  ｔｉｍｅ  ｉｎｔｅｒｖａｌ）を構成し、ここでの１番目の下りデータ伝送サブフレームは、１つの内蔵型構造（ｓｅｌｆ−ｃｏｎｔａｉｎｅｄ）であり、すなわち、末尾に上り制御領域が配置されるようとして配置される。下り走査時間ブロックを配置する際に、対応する上り制御領域およびその前のガードインターバル（ＧＰ）をスキップする。
【００９６】
本実施例において、上り制御が１番目の下りデータ伝送サブフレームにあることは１つの例に過ぎず、このような配置方式で、Ｓｗｅｅｐｉｎｇ  ｔｉｍｅ  ｉｎｔｅｒｖａｌ範囲内に上り、下り制御領域が含まれると、全て保留されてもよく、または１つまたは複数を選択的に予約してもよい。
【００９７】
実施例８
本実施例は、上り走査時間ブロックの配置方式を説明する。図１６に示すように、１つの走査周期内に、連続する２つのデータ伝送サブフレームが１つの走査時間間隔として配置される模式図であり、走査時間間隔内の２つのデータ伝送サブフレームの元の制御領域が保留され、１番目のデータ伝送サブフレームにおける上り、下り制御領域が占めるシンボル、および２つ目のデータ伝送サブフレームにおける下り制御領域が占めるシンボルに関し、且つ、下り制御および上り走査時間ブロックの前に、それぞれ下り伝送から上り伝送への変換のためのガードインターバル（ＧＰ）を配置する。
【００９８】
実施例９
図１７は、本実施例における走査時間ブロックの配置方式を示す。
【００９９】
全てのｓｗｅｅｐｉｎｇ  ｂｌｏｃｋが１つのｓｗｅｅｐｉｎｇ  ｔｉｍｅ  ｉｎｔｅｒｖａｌに集約される場合、ｓｗｅｅｐｉｎｇ  ｔｉｍｅ  ｉｎｔｅｒｖａｌの走査周期内の相対位置は任意として配置でき、例示的な実施形態において、図１７に示すように、走査時間間隔を走査周期の最後のサブフレームとして配置する。このような場合、前の下りデータ伝送サブフレーム内の下り制御は、同一ポートの走査時間ブロック内の下りデータリソース、すなわち、走査時間ブロック内の走査信号チャネル以外のリソースをスケジューリングすることができ、図１７において矢印でこのようなサブフレームを越えて下りデータを割り当てる関係を示す。
【０１００】
例示的な実施形態において、ＤＬサブフレーム  Ｘのポートはｓｗｅｅｐｉｎｇ  ｂｌｏｃｋ  １のサブセットであり、ＤＬサブフレーム  Ｘにおける下り制御部分は本下りデータ伝送サブフレーム内の下りデータをスケジューリングするほか、更に、ｓｗｅｅｐｉｎｇ  ｂｌｏｃｋ  １における下りデータ伝送リソースをスケジューリングする。下りスケジューリングにおいて、この２部分のリソースをそれぞれスケジューリングすることができ、ＤＬサブフレーム  Ｘ内の下りデータに対し、通常の割当方式でＵＥにリソース割当、変調符号化方式、ＨＡＲＱ（Ｈｙｂｒｉｄ  Ａｕｔｏｍａｔｉｃ  Ｒｅｐｅａｔ  ｒｅＱｕｅｓｔ、ハイブリッド自動再送要求）プロセス番号、新規データインジケータ（ＮＤＩ）、リダンダンシバージョン（ＲＶ、Ｒｅｄｕｎｄａｎｃｙ  ｖｅｒｓｉｏｎ）等の情報を指示する。
【０１０１】
走査サブフレームの走査時間ブロック１における下りデータの割当について、基地局は、前記走査時間ブロックが位置する走査サブフレームと前記下り制御が位置するデータ伝送サブフレームとの間の時間オフセット（絶対時間または間隔のサブフレーム数でこの時間オフセット量を指示すると、サブフレーム数を例とし、５つのサブフレームを間隔する）を指示する必要があり、且つ、ＵＥに前記走査時間ブロック（ｓｗｅｅｐｉｎｇ  ｂｌｏｃｋ  １）の前記走査サブフレーム内の相対位置、すなわち、どのシンボルリソースを占めたかを指示する必要があり、ｓｗｅｅｐｉｎｇ  ｂｌｏｃｋ  １はシンボル０、シンボル１を占める。上記情報により、ＵＥはｓｗｅｅｐｉｎｇ  ｂｌｏｃｋ  １の時間領域位置を見つけることができる。
【０１０２】
周波数領域情報：走査時間ブロック内の下りデータリソース（１０個のＲＢ）については、システムがこの１０個のＲＢの周波数領域位置を予め定義すれば、ＵＥにＲＢ番号および前記の時間領域位置を指示すればよく、システムが１０個のＲＢの周波数領域位置を予め定義していなければ、ＲＢの具体的な周波数領域位置を更に指示する必要があり、例えば、この１０個のＲＢは、システム帯域幅の両端にそれぞれ５つのＲＢに分布される。
【０１０３】
ｓｗｅｅｐｉｎｇ  ｂｌｏｃｋ内のデータ伝送の変調符号化方式、ＨＡＲＱプロセス番号、新規データインジケータ（ＮＤＩ）（現在割り当てられる下りデータリソース内に担持されたのが新規データであるか、再送データであるかを指示する）、リダンダンシバージョン（ＲＶ、Ｒｅｄｕｎｄａｎｃｙ  ｖｅｒｓｉｏｎ）等の情報も、ＵＥに指示する必要がある。
【０１０４】
本実施例に係る走査時間ブロックの配置方式は、同様に上り走査時間ブロックの配置に適用する。上り走査時間ブロック内の上りデータリソースに対し、同様に前の対応する下り制御領域においてスケジューリングする必要があり、このように、下り制御領域は、データ伝送サブフレーム内の下りデータに対する割当を含むとともに、走査時間ブロック内の上りデータに対するスケジューリングも含む。
【０１０５】
上述したｓｗｅｅｐｉｎｇ  ｔｉｍｅ  ｉｎｔｅｒｖａｌは走査周期の中間として配置される場合、図１８に示すように、このような場合には、後のデータサブフレーム（例えば、ＤＬサブフレーム  Ｚ）が対応するｓｗｅｅｐｉｎｇ  ｂｌｏｃｋ内の下りデータリソースをスケジューリングできず、リソースの利用が不十分であるという欠点がある。しかし、これも１種の潜在的な配置方式である。
【０１０６】
実施例１０
図１９は、本実施例に対応する走査時間ブロックの配置方式の模式図を示す。
【０１０７】
全てのｓｗｅｅｐｉｎｇ  ｂｌｏｃｋが複数のサブフレームに集約され、すなわち、走査時間ブロックは依然として走査時間間隔に組み合わせられるが、複数のサブフレームに分けられる。このような方式で、同様にサブフレームを越える下りデータの割当（図１９における矢印に示すように）に関する。実施例９に示す構造と比べ、一方、サブフレームを越えるスケジューリングの遅延が減少し、他方、ｓｗｅｅｐｉｎｇ  ｔｉｍｅ  ｉｎｔｅｒｖａｌの長すぎることを回避し、サービスデータのスケジューリングの待ち遅延を増加する。
【０１０８】
実施例１１
典型的には、下り走査時間ブロックは同期信号ブロック（ＳＳ  ｂｌｏｃｋ）と呼ばれてもよく、走査周期内の全てのＳＳ  ｂｌｏｃｋは１つの同期信号バーストセット（ＳＳ  ｂｕｒｓｔ  ｓｅｔ）と呼ばれ、同期信号バーストセットの周期は走査周期である。本実施例は、ＳＳ  ｂｕｒｓｔ  ｓｅｔ内のＳＳ  ｂｌｏｃｋを更にグループ分けし、各グループ内の隣接するＳＳ  ｂｌｏｃｋが等間隔でマッピングされる場合について説明する。
【０１０９】
本実施例において、図２０に示すように、ＰＢＣＨ更新周期Ｔｐｂｃｈ−ｕ＝８０ｍｓで、その中に４つの周期が２０ｍｓのＳＳ  ｂｕｒｓｔ  ｓｅｔ（すなわち、１つの走査周期）を含み、前記走査周期Ｔ内の全ての走査時間ブロックをＮグループ（本実施例において、Ｎ＝４）に分け、各グループの走査時間ブロックを１つの同期信号バースト（ＳＳ  ｂｕｒｓｔ）と呼び、同期信号バースト内に１つまたは複数のＳＳ  ｂｌｏｃｋが含まれ、固定の時間間隔でデータ伝送サブフレームにマッピングされ、ここで、時間間隔が２０ｍｓ／４＝５ｍｓであり、隣接する２グループの走査時間ブロックの開始境界間の時間領域オフセットが５ｍｓである。各グループ内の走査時間ブロックが連続するデータ伝送サブフレームにマッピングされ、持続時間が０．５ｍｓであり、且つ、隣接する前記走査時間ブロックが等間隔でマッピングされる。ここで、サブキャリア間隔が２４０ｋＨｚの場合を例とし、０．５ｍｓに８つの１４シンボルのデータ伝送サブフレーム／データ伝送スロット（ｓｌｏｔ）が含まれ、ＳＳ  ｂｌｏｃｋが４つのシンボル（その中に同期信号、物理報知チャネルを含み、他の参照信号、制御、データ等を含む可能性もある）を占める。以下のような方式を採用してＳＳ  ｂｌｏｃｋｓをデータ伝送スロットにマッピングする。１４シンボルスロットごとに２つの潜在的なＳＳ  ｂｌｏｃｋを含まれ、それぞれ２つ目のシンボル〜５つ目のシンボル、および９つ目のシンボル〜１２個目のシンボルにマッピングされる。異なるスロットは上記マッピング構造を繰り返す。上述した潜在的なＳＳ  ｂｌｏｃｋとは、図に示すＳＳ  ｂｌｏｃｋのマッピング位置がＳＳ  ｂｌｏｃｋを担持可能な全てのリソースであるものを指し、基地局がそれぞれのＳＳ  ｂｌｏｃｋリソースで実際にＳＳ  ｂｌｏｃｋを送信するために用いられるか否かはネットワークの需要に依存する。そのうちの一部のＳＳ  ｂｌｏｃｋリソースが実際にＳＳ  ｂｌｏｃｋを送信しない場合、これらリソースは、下り制御、上り制御、ガードインターバルＧＰ、下りデータ、ミニスロット（ｍｉｎｉ−ｓｌｏｔ）、上りデータの少なく１つを伝送するようとして配置されてもよい。上記マッピング方式で、各グループＳＳ  ｂｌｏｃｋ内（すなわち、ＳＳ  ｂｕｒｓｔ内）に、隣接する２つのＳＳ  ｂｌｏｃｋの間はいずれも３つのシンボルが間隔され、すなわち、２つのＳＳ  ｂｌｏｃｋ時間領域の開始点境界のオフセットが７つのシンボルである。このようなマッピング方式で、ＳＳ  ｂｕｒｓｔ内に、それぞれのＳＳ  ｂｌｏｃｋがデータ伝送ｓｌｏｔにマッピングされる際に、いずれもｓｌｏｔ境界を越えないことが保証でき、それにより、ｓｌｏｔ配置の柔軟性が保証され、且つ、隣接するＳＳ  ｂｌｏｃｋ間のオフセットがいずれも同一であり、端末が同期信号または物理報知チャネルを検出する際に、隣接する２つのＳＳ  ｂｌｏｃｋ間の合併を実現することに寄与する。隣接するＳＳ  ｂｌｏｃｋ間のオフセットが異なると、端末は次のＳＳ  ｂｌｏｃｋの時間領域位置をブラインド検出して決定する必要があり、これは端末の実現の複雑さに高い要求をもたらし、且つ、ＳＳ  ｂｌｏｃｋ間の合併に不利である。
【０１１０】
本実施例は、２４０ｋＨｚのサブキャリア間隔（ＳＣＳ、Ｓｕｂｃａｒｒｉｅｒ  Ｓｐａｃｉｎｇ）を例として説明し、それに類似し、ＳＳ  ｂｌｏｃｋが他のサブキャリア間隔を採用すると、対応する構造は図２１〜図２４に示すとおりである。ここで、図２１はＳＣＳ＝１２０ｋＨｚである場合の構造であり、図２２はＳＣＳ＝３０ｋＨｚである場合の構造であり、図２３および図２４はＳＣＳ＝１５ｋＨｚである場合の構造である。図２３と図２４との区別は、ＳＳ  ｂｕｒｓｔ周期が５ｍｓであるか１０ｍｓであるかということであり、それに対応し、ＳＳ  ｂｕｒｓｔ周期が５ｍｓであると、ＳＳ  ｂｕｒｓｔ  ｓｅｔ周期全体の２０ｍｓ内に４つのＳＳ  ｂｕｒｓｔが含まれ、且つそれぞれのＳＳ  ｂｕｒｓｔ内に１つのＳＳ  ｂｌｏｃｋが含まれる。ＳＳ  ｂｌｏｃｋは１つの７シンボルスロットにマッピングされてもよく、半１４シンボルスロットにマッピングされてもよい。ＳＳ  ｂｌｏｃｋが１４シンボルスロットにマッピングされると、ＳＳ  ｂｌｏｃｋがマッピングされる時間領域位置は前半のスロット（シンボル１〜シンボル４）にあってもよく、後半のスロット（シンボル８〜シンボル１１）にあってもよい。２つの潜在位置からそのうちの１つを選択すればよいが、全てのＳＳ  ｂｕｒｓｔ内に、ＳＳ  ｂｌｏｃｋの相対位置が同一であることを保証する必要があり、例えば、各ＳＳ  ｂｕｒｓｔ内にＳＳ  ｂｌｏｃｋがいずれも位置１（すなわち、シンボル１〜シンボル４）を占める。図２４の構造において、ＳＳ  ｂｕｒｓｔ周期が１０ｍｓであり、ＳＳ  ｂｕｒｓｔ  ｓｅｔ周期全体の２０ｍｓ内に２つのＳＳ  ｂｕｒｓｔが含まれ、且つ、それぞれのＳＳ  ｂｕｒｓｔ内に２つのＳＳ  ｂｌｏｃｋが含まれる。
【０１１１】
本実施例において、ＳＳ  ｂｌｏｃｋが連続する４つのシンボルを占めることを例として説明し、ＳＳ  ｂｌｏｃｋは５つのシンボルを占めてもよく、この場合、ＳＳ  ｂｌｏｃｋが等間隔でマッピングされる原則は変わらず、具体的な構造は図２５に示すとおりである。この時、ＳＳ  ｂｌｏｃｋはそれぞれ各ｓｌｏｔの２つ目のシンボル〜６つ目のシンボル、および９つ目のシンボル〜１３個目のシンボルにマッピングされ、ＳＳ  ｂｕｒｓｔ内の隣接するＳＳ  ｂｌｏｃｋの間隔は２つのシンボルであり、オフセットは依然として７つのシンボルである。
【０１１２】
実施例１２
本実施例は、ＳＳ  ｂｕｒｓｔ  ｓｅｔ内のＳＳ  ｂｌｏｃｋを更にグループ分けし、且つ、各グループ内の隣接するＳＳ  ｂｌｏｃｋが等間隔でマッピングされる別の場合について説明する。
【０１１３】
図２６に示すように、実施例１１との区別は、実施例１１において、４つのＳＳ  ｂｕｒｓｔがＳＳ  ｂｕｒｓｔ  ＰＢＣＨ内に均一に分布され、すなわち、隣接するＳＳ  ｂｕｒｓｔのオフセットが２０ｍｓ／４＝５ｍｓであり、このような配置で、異なるＳＳ  ｂｕｒｓｔ  ｓｅｔ間の隣接するＳＳ  ｂｕｒｓｔのオフセットも同様に５ｍｓであることである。本実施例において、ＳＳ  ｂｕｒｓｔ  ｓｅｔ内の隣接するＳＳ  ｂｕｒｓｔが等間隔であることを依然として保持するが、ＳＳ  ｂｕｒｓｔ  ｓｅｔ間の隣接するＳＳ  ｂｕｒｓｔはＴ／Ｎ（ここで、Ｔが走査周期であり、ＮがＳＳ  ｂｕｒｓｔ数である）として配置する必要がない。本実施例の配置で、ＳＳ  ｂｕｒｓｔ  ｓｅｔ内のＳＳ  ｂｌｏｃｋは相対的に集中してマッピングされる。
【０１１４】
ここで、隣接する２つのＳＳ  ｂｕｒｓｔの１番目のＳＳ  ｂｌｏｃｋの開始境界間のオフセットが１ｍｓであり、ＳＳ  ｂｕｒｓｔの持続時間が０．５ｍｓである。ＳＳ  ｂｕｒｓｔの内部では、依然としてサブキャリア間隔が２４０ｋＨｚの場合を例とし、０．５ｍｓに８つの１４シンボルのデータ伝送サブフレーム／データ伝送スロット（ｓｌｏｔ）が含まれ、ＳＳ  ｂｌｏｃｋが４つのシンボル（その中に同期信号、物理報知チャネルを含み、他の参照信号、制御、データ等を含む可能性もある）を占める。以下のような方式を採用してＳＳ  ｂｌｏｃｋｓをデータ伝送スロットにマッピングする。１４シンボルスロットごとに２つの潜在的なＳＳ  ｂｌｏｃｋが含まれ、それぞれ２つ目のシンボル〜５つ目のシンボル、および９つ目のシンボル〜１２つ目のシンボルにマッピングされる。異なるスロットは上記マッピング構造を繰り返す。上述した潜在的なＳＳ  ｂｌｏｃｋとは、図に示すＳＳ  ｂｌｏｃｋのマッピング位置がＳＳ  ｂｌｏｃｋを担持可能な全てのリソースであるものを指し、基地局がそれぞれのＳＳ  ｂｌｏｃｋリソースで実際にＳＳ  ｂｌｏｃｋを送信するために用いられるか否かはネットワークの需要に依存する。そのうちの一部のＳＳ  ｂｌｏｃｋリソースが実際にＳＳ  ｂｌｏｃｋを送信しない場合、これらリソースは、下り制御、上り制御、ガードインターバルＧＰ、下りデータ、ミニスロット（ｍｉｎｉ−ｓｌｏｔ）、上りデータの少なく１つを伝送するようとして配置されてもよい。上記マッピング方式で、各グループＳＳ  ｂｌｏｃｋ内（すなわち、ＳＳ  ｂｕｒｓｔ内）に、隣接する２つのＳＳ  ｂｌｏｃｋの間はいずれも３つのシンボルが間隔され、すなわち、２つのＳＳ  ｂｌｏｃｋ時間領域の開始点境界のオフセットが７つのシンボルである。このようなマッピング方式で、ＳＳ  ｂｕｒｓｔ内に、それぞれのＳＳ  ｂｌｏｃｋがデータ伝送ｓｌｏｔにマッピングされる際に、いずれもｓｌｏｔ境界を越えないことが保証でき、それにより、ｓｌｏｔ配置の柔軟性が保証され、且つ、ＳＳ  ｂｕｒｓｔ内の隣接するＳＳ  ｂｌｏｃｋ間のオフセットがいずれも同一であり、端末が同期信号または物理報知チャネルを検出する際に、ＳＳ  ｂｕｒｓｔ内の隣接する２つのＳＳ  ｂｌｏｃｋ間の合併を実現することに寄与する。
【０１１５】
隣接するＳＳ  ｂｌｏｃｋ間のオフセットが異なると、端末が次のＳＳ  ｂｌｏｃｋの時間領域位置をブラインド検出して決定する必要があり、これは端末の実現の複雑さに高い要求をもたらし、且つ、ＳＳ  ｂｌｏｃｋ間の合併に不利である。
【０１１６】
また、本実施例において、ＳＳ  ｂｕｒｓｔの持続時間が０．５ｍｓであり、このような配置は１つの付加的な利点を有し、すなわち、次世代無線通信システムにおいて、複数種のサブキャリア間隔が存在し、各種のサブキャリア間隔で、０．５ｍｓの境界での１番目のシンボルは相対的により長いＣＰ（Ｃｙｃｌｉｃ  Ｐｒｅｆｉｘ、サイクリックプレフィックス）長さを有し、１５ｋＨｚを例とし、シンボル０およびシンボル７のＣＰ長さが約５．２ｕｓで、他のシンボル（１、２、３、４、５、６、８、９、１０、１１、１２、１３）のＣＰ長さが約４．７ｕｓであり、ＳＳ  ｂｕｒｓｔ長さが０．５ｍｓを超えると、図２７に示すように、ＳＳ  ｂｕｒｓｔが０．５ｍｓの境界を越えることが必ず現れ、このように、２つのＳＳ  ｂｌｏｃｋの間に、３つの短いＣＰシンボルである可能性があるとともに、１つの長いＣＰおよび２つの短いＣＰシンボルである可能性もあり、端末は上記２種類の場合に対して次のＳＳ  ｂｌｏｃｋの位置をブラインド検出し、追加の端末ブラインド検出の複雑さが導入されるため、ここではＳＳ  ｂｕｒｓｔの持続時間を０．５ｍｓと定義することができる。
【０１１７】
実施例１３
典型的には、下り走査時間ブロックは同期信号ブロック（ＳＳ  ｂｌｏｃｋ）と呼ばれてもよく、走査周期内の全てのＳＳ  ｂｌｏｃｋは１つの同期信号バーストセット（ＳＳ  ｂｕｒｓｔ  ｓｅｔ）と呼ばれ、同期信号バーストセットの周期は走査周期である。本実施例は、ＳＳ  ｂｕｒｓｔ  ｓｅｔ内の全ての隣接するＳＳ  ｂｌｏｃｋが等間隔でマッピングされる場合について説明する。
【０１１８】
本実施例において、図２８に示すように、ＰＢＣＨ更新周期Ｔｐｂｃｈ−ｕ＝８０ｍｓで、その中に４つの周期が２０ｍｓのＳＳ  ｂｕｒｓｔ  ｓｅｔ（すなわち、１つの走査周期）を含み、前記走査周期Ｔ内の全ての走査時間ブロック／ＳＳ  ｂｌｏｃｋを２ｍｓ内に集中して配置する。ここで、サブキャリア間隔が２４０ｋＨｚの場合を例とし、２ｍｓに３２個の１４シンボルのデータ伝送サブフレーム／データ伝送スロット（ｓｌｏｔ）が含まれ、各ｓｌｏｔ内に２つのＳＳ  ｂｌｏｃｋがマッピングされ、ＳＳ  ｂｌｏｃｋが４つのシンボル（その中に同期信号、物理報知チャネルを含み、他の参照信号、制御、データ等を含む可能性もある）を占める。以下のような方式を採用してＳＳ  ｂｌｏｃｋｓをデータ伝送スロットにマッピングする。１４シンボルスロットごとに２つの潜在的なＳＳ  ｂｌｏｃｋが含まれ、それぞれ２つ目のシンボル〜５つ目のシンボル、および９つ目のシンボル〜１２つ目のシンボルにマッピングされる。異なるスロットは上記マッピング構造を繰り返す。本実施例において、同期信号バーストセット（ＳＳ  ｂｕｒｓｔ  ｓｅｔ）内の全てのＳＳ  ｂｌｏｃｋは連続するスロットにマッピングされる。上述した潜在的なＳＳ  ｂｌｏｃｋとは、図に示すＳＳ  ｂｌｏｃｋのマッピング位置がＳＳ  ｂｌｏｃｋを担持可能な全てのリソースであるものを指し、基地局がそれぞれのＳＳ  ｂｌｏｃｋリソースで実際にＳＳ  ｂｌｏｃｋを送信するために用いられるか否かはネットワークの需要に依存する。そのうちの一部のＳＳ  ｂｌｏｃｋリソースが実際にＳＳ  ｂｌｏｃｋを送信しない場合、これらリソースは、下り制御、上り制御、ガードインターバルＧＰ、下りデータ、ミニスロット（ｍｉｎｉ−ｓｌｏｔ）、上りデータの少なく１つを伝送するようとして配置されてもよい。上記マッピング方式で、２ｍｓ内に任意に隣接する２つのＳＳ  ｂｌｏｃｋの間はいずれも３つのシンボルが間隔され、すなわち、２つのＳＳ  ｂｌｏｃｋ時間領域の開始点境界のオフセットが７つのシンボルである。このようなマッピング方式で、ＳＳ  ｂｕｒｓｔ内に、それぞれのＳＳ  ｂｌｏｃｋがデータ伝送ｓｌｏｔにマッピングされる際に、いずれもｓｌｏｔ境界を越えないことが保証でき、それにより、ｓｌｏｔ配置の柔軟性が保証され、且つ、隣接するＳＳ  ｂｌｏｃｋ間のオフセットがいずれも同一であり、端末が同期信号または物理報知チャネルを検出する際に、隣接する２つのＳＳ  ｂｌｏｃｋ間の合併を実現することに寄与する。隣接するＳＳ  ｂｌｏｃｋ間のオフセットが異なると、端末が次のＳＳ  ｂｌｏｃｋの時間領域位置をブラインド検出して決定する必要があり、これは端末の実現の複雑さに高い要求をもたらし、且つ、ＳＳ  ｂｌｏｃｋ間の合併に不利である。
【０１１９】
本実施例は、２４０ｋＨｚのサブキャリア間隔を例として説明し、マッピングの基本的な特徴は、ＳＳ  ｂｕｒｓｔ  ｓｅｔ内の全てのＳＳ  ｂｌｏｃｋが１つの同一オフセット量を保証することで、ＳＳ  ｂｌｏｃｋ間の対応する信号チャネルの合併に寄与し、それに類似し、ＳＳ  ｂｌｏｃｋが他のサブキャリア間隔を採用する場合のマッピングの構造を得ることもできることである。
【０１２０】
実施例１４
典型的には、下り走査時間ブロックは同期信号ブロック（ＳＳ  ｂｌｏｃｋ）と呼ばれてもよく、走査周期内の全てのＳＳ  ｂｌｏｃｋは１つの同期信号バーストセット（ＳＳ  ｂｕｒｓｔ  ｓｅｔ）と呼ばれ、同期信号バーストセットの周期は走査周期である。本実施例は、全ての隣接するＳＳ  ｂｌｏｃｋが等間隔でマッピングされる場合について説明する。
【０１２１】
本実施例において、図２９に示すように、ＰＢＣＨ更新周期Ｔｐｂｃｈ−ｕ＝８０ｍｓで、その中に４つの周期が２０ｍｓのＳＳ  ｂｕｒｓｔ  ｓｅｔ（すなわち、１つの走査周期）を含み、それぞれの走査周期内に２０個の走査時間ブロック／ＳＳ  ｂｌｏｃｋを含み、この２０個のＳＳ  ｂｌｏｃｋを各１ｍｓ内にそれぞれ配置し、図２９は、３０ｋＨｚのサブキャリア間隔で、それぞれのＳＳ  ｂｌｏｃｋが各ｍｓ内の１番目のｓｌｏｔのシンボル１〜４を占めることを示す。このように、ＳＳ  ｂｕｒｓｔ  ｓｅｔ内の隣接する２つのＳＳ  ｂｌｏｃｋは等間隔でデータ伝送ｓｌｏｔ内にマッピングされ、且つ、異なるＳＳ  ｂｕｒｓｔ  ｓｅｔ間の隣接する２つのＳＳ  ｂｌｏｃｋも等間隔でマッピングされる。
【０１２２】
このようなマッピング方式で、任意の２つの隣接するＳＳ  ｂｌｏｃｋ間のオフセットがいずれも同一（すなわち、１ｍｓ）であることが保証でき、端末が同期信号または物理報知チャネルを検出する際に、隣接する２つのＳＳ  ｂｌｏｃｋ間の合併を実現することに寄与する。隣接するＳＳ  ｂｌｏｃｋ間のオフセットが異なると、端末が次のＳＳ  ｂｌｏｃｋの時間領域位置をブラインド検出して決定する必要があり、これは端末の実現の複雑さに高い要求をもたらし、且つ、ＳＳ  ｂｌｏｃｋ間の合併に不利である。
【０１２３】
本実施例において、ＳＳ  ｂｌｏｃｋが各ｍｓ内の１番目のｓｌｏｔのシンボル１〜４にマッピングされることを例として説明し、ＳＳ  ｂｌｏｃｋの各ｍｓ内に占めるシンボルは、任意の連続する４つのシンボルであってもよく、各ｍｓ内にＳＳ  ｂｌｏｃｋが占めるシンボルの相対位置が同一であることを満たせばよい。例えば、各ｍｓ（すなわち、ＳＳ  ｂｌｏｃｋの伝送周期）内に、ＳＳ  ｂｌｏｃｋはいずれもＭ個目〜Ｍ＋３個目のシンボルを占める。同様に、全てのＳＳ  ｂｌｏｃｋが等間隔でマッピングされることを満たすことができる。本実施例において、ＳＳ  ｂｌｏｃｋの伝送周期を１ｍｓとするものを例とし、該伝送周期は他の値であってもよい。
【０１２４】
本実施例は、３０ｋＨｚのサブキャリア間隔を例として説明し、マッピングの基本的な特徴は、全てのＳＳ  ｂｌｏｃｋに対し、任意の２つの間に１つの同一のオフセット量を保証することで、ＳＳ  ｂｌｏｃｋ間の対応する信号チャネルの合併に寄与し、それに類似し、ＳＳ  ｂｌｏｃｋが他のサブキャリア間隔を採用する場合のマッピングの構造を得ることができる。
【０１２５】
実施例１５
上記実施例１〜１０に示される走査時間ブロック、走査サブフレームの配置方式は、互いに組み合わせて現れることができる。例えば、
１、走査周期内には、１つまたは複数の走査時間ブロックが配置されたデータ伝送サブフレームが含まれるとともに、制御領域以外の他のシンボルがいずれも走査時間ブロックとして配置されたデータ伝送サブフレームも含まれる場合と、
２、走査周期内には、１つまたは複数の走査時間ブロックが配置されたデータ伝送サブフレームが含まれるとともに、シンボルの全部が走査時間ブロックとして配置されたデータ伝送サブフレームも含まれる場合と、
３、走査周期内には、制御領域以外の他のシンボルがいずれも走査時間ブロックとして配置されたデータ伝送サブフレームが含まれるとともに、シンボルの全部が走査時間ブロックとして配置されたデータ伝送サブフレームも含まれる場合と、
４、走査周期内には、１つまたは複数の走査時間ブロックが配置されたデータ伝送サブフレームと、制御領域以外の他のシンボルがいずれも走査時間ブロックとして配置されたデータ伝送サブフレームと、シンボルの全部が走査時間ブロックとして配置されたデータ伝送サブフレームとの三種類のサブフレームが含まれる場合と、
も支持される。
【０１２６】
また、走査周期内に異なる形式の上り走査時間ブロックおよび下り走査時間ブロックが同時として配置されることも支持される。
【０１２７】
図３０は、本発明の実施例に係る走査時間ブロックに基づく情報伝送装置の模式図である。図３０に示すように、本実施例に係る装置は、
走査周期内のデータ伝送サブフレームのシンボルの一部または全部を走査時間ブロックとして配置するように構成される配置モジュール３０１と、
走査信号チャネルを前記走査時間ブロック内に担持させて伝送するように構成される伝送モジュール３０２と、
を備える。
【０１２８】
ここで、前記走査信号チャネルとは、全てのポートまたはビームにおいてポーリング送信する必要がある信号または信号およびチャネルである。
【０１２９】
例示的な実施形態において、前記配置モジュール３０１は、走査周期内の１つまたは複数のデータ伝送サブフレームのシンボルの一部または全部を１つまたは複数の走査時間ブロックとして配置するように構成されてもよい。
【０１３０】
例示的な実施形態において、前記配置モジュール３０１は、走査周期内の１つまたは複数のデータ伝送サブフレーム内の予約領域以外のシンボルを１つまたは複数の走査時間ブロックとして配置するように構成されてもよい。
【０１３１】
例示的な実施形態において、前記配置モジュール３０１が走査周期内の１つまたは複数のデータ伝送サブフレーム内の予約領域以外のシンボルを１つまたは複数の走査時間ブロックとして配置した後、前記走査時間ブロックが配置されたデータ伝送サブフレームの構造は、
下り制御領域および下り走査時間ブロックの組み合わせと、
下り制御領域、ガードインターバル、及び上り走査時間ブロックの組み合わせと、
下り制御領域、下り走査時間ブロック、ガードインターバル、及び上り制御領域の組み合わせと、
下り制御領域、ガードインターバル、上り走査時間ブロック、及び上り制御領域の組み合わせと、
下り制御領域、下り走査時間ブロック、ガードインターバル、上り走査時間ブロック、及び上り制御領域の組み合わせと、のいずれか１種であってもよい。
【０１３２】
ここで、前記下り制御領域、下り走査時間ブロック、ガードインターバル、上り走査時間ブロック、上り制御領域は、それぞれ１つまたは複数のシンボルを含み、例えば、ＯＦＤＭシンボルを含む。
【０１３３】
例示的な実施形態において、前記配置モジュール３０１は、走査周期内の１つまたは複数の連続するデータ伝送サブフレーム内の予約領域以外のシンボルの全部を走査時間ブロックとして配置するように構成されてもよい。
【０１３４】
ここで、前記配置モジュール３０１が走査周期内の１つまたは複数の連続するデータ伝送サブフレーム内の予約領域以外のシンボルの全部を走査時間ブロックとして配置した後、前記走査時間ブロックが配置された１つまたは複数の連続するデータ伝送サブフレームは１つの走査時間間隔を構成する。
【０１３５】
例示的な実施形態において、前記予約領域は、下り制御領域、上り制御領域のうちの１種または複数種を含んでもよい。
【０１３６】
例示的な実施形態において、前記配置モジュール３０１は、走査周期内の１つまたは複数の連続するデータ伝送サブフレームのシンボルの全部を走査時間ブロックとして配置するように構成されてもよい。
【０１３７】
ここで、前記配置モジュール３０１が走査周期内の１つまたは複数の連続するデータ伝送サブフレームのシンボルの全部を走査時間ブロックとして配置した後、前記走査時間ブロックが配置された１つまたは複数の連続するデータ伝送サブフレームは１つの走査時間間隔を構成する。
【０１３８】
例示的な実施形態において、前記配置モジュール３０１は、走査周期内のデータ伝送サブフレームのシンボルの一部または全部を１つの走査時間ブロックのみとして配置するように構成されてもよい。
【０１３９】
ここで、前記配置モジュール３０１が走査周期内のデータ伝送サブフレームのシンボルの一部または全部を１つの走査時間ブロックのみとして配置した後、前記データ伝送サブフレームのポートまたはビームは、前記走査時間ブロックのポートまたはビームのサブセットまたはフルセットである。
【０１４０】
例示的な実施形態において、前記走査周期とは、前記走査信号チャネルが全てのポートまたはビームで１回ポーリング送信する時間間隔を指し、前記走査周期内に複数のサブフレームが含まれる。オプションとして、前記走査周期は、５ｍｓ、１０ｍｓ、２０ｍｓ、４０ｍｓ、８０ｍｓのいずれか１種と予め定義される。
【０１４１】
例示的な実施形態において、前記走査時間ブロックは、下り走査時間ブロック、上り走査時間ブロックのうちの１種または複数種を含み、前記走査信号チャネルは、上り走査信号チャネル、下り走査信号チャネルのうちの１種または複数種を含む。前記下り走査時間ブロックは、セルサーチ、下りポートまたはビームの測定および識別の少なくとも１つに用いられる下り走査信号チャネルを担持し、前記下り走査信号チャネルは、前記ポートまたはビームに対応する下り同期信号、システムインフォメーション、下りポート測定参照信号という信号またはチャネルのうちの１種または複数種を含む。前記上り走査時間ブロックは、上りアクセス、上りポートまたはビームの測定および識別の少なくとも１つに用いられる上り走査信号チャネルを担持し、前記上り走査信号チャネルは、前記ポートまたはビームに対応する上りランダムアクセス要求信号、上りポート測定参照信号という信号またはチャネルのうちの１種または複数種を含む。
【０１４２】
例示的な実施形態において、前記走査周期内に１つまたは複数の走査時間ブロックが含まれ、それぞれの走査時間ブロックは１つまたは複数のポートの走査信号チャネルを送信し、１つまたは複数のシンボルを占め、前記走査周期内に全てのポートまたはビームの走査信号チャネルの送信を完成する。
【０１４３】
例示的な実施形態において、前記走査時間ブロックにおける走査信号チャネルは、更に、前記走査時間ブロックの時間領域位置情報を指示するために用いられ、前記時間領域位置情報は、走査時間ブロックが位置するフレーム、走査時間ブロックが位置するサブフレーム、走査時間ブロックの前記サブフレームにおける位置の１種または複数種を含む。ここで、前記走査時間ブロックの前記サブフレームにおける位置とは、前記走査時間ブロックが前記サブフレームで占めるシンボル情報、または、前記走査時間ブロックと前記走査時間ブロックが位置するサブフレームの境界との間のオフセット情報である。
【０１４４】
例示的な実施形態において、前記データ伝送サブフレームは、特定のポートまたはビームにおける１つまたは複数の端末のデータを送信または受信するために用いられる。
【０１４５】
前記データ伝送サブフレームの構造は、
下り制御領域および下りデータ領域の組み合わせと、
下り制御領域、ガードインターバル、及び上りデータ領域の組み合わせと、
下り制御領域、下りデータ領域、ガードインターバル、及び上り制御領域の組み合わせと、
下り制御領域、ガードインターバル、上りデータ領域、及び上り制御領域の組み合わせと、
下り制御領域、下りデータ領域、ガードインターバル、上りデータ領域、及び上り制御領域の組み合わせと、のいずれか１種を含む。
【０１４６】
ここで、前記下り制御領域、下りデータ領域、ガードインターバル、上りデータ領域、上り制御領域は、それぞれ１つまたは複数のシンボルを含み、例えば、周波数多重（ＯＦＤＭ）シンボルを含む。
【０１４７】
上記データ伝送サブフレームに走査時間ブロックを配置した後の構造については、前述した方法の実施例に記載されたとおりであり、ここでは説明を省略する。
【０１４８】
例示的な実施形態において、前記伝送モジュール３０２は、更に、下りデータまたは上りデータを前記走査時間ブロック内に担持させて伝送するように構成されてもよい。ここで、前記下りデータまたは上りデータは、前記走査時間ブロックの前のサブフレームまたはシンボル内の下り制御領域において割り当てられるまたはスケジューリングされる。
【０１４９】
例示的な実施形態において、前記下り制御領域が採用したポートまたはビームは、前記下りデータの所属する走査時間ブロックのポートまたはビームのサブセットまたはフルセットである。
【０１５０】
例示的な実施形態において、前記下りデータまたは上りデータが採用したポートまたはビームは、前記走査時間ブロックのポートまたはビームのサブセットまたはフルセットであり、走査時間ブロック内の前記走査信号チャネルに占められていないリソースを使用する。
【０１５１】
例示的な実施形態において、前記走査時間ブロック内の走査信号チャネルと周波数多重される。
【０１５２】
例示的な実施形態において、下り制御には、走査時間ブロック内のデータ伝送リソースに対する上りスケジューリング情報または下り割当情報が含まれる。
【０１５３】
例示的な実施形態において、前記走査時間ブロック内のデータ伝送リソースは、前記データ伝送サブフレーム内のデータ伝送リソースと関連して割り当て・指示され、または、独立して割り当て・指示される。
【０１５４】
例示的な実施形態において、前記下り制御は、前記走査時間ブロック内のデータ伝送リソースの時間領域位置情報、前記走査時間ブロック内のデータ伝送リソースの周波数領域位置情報のうちの１種または複数種を更に含む。
【０１５５】
例示的な実施形態において、前記走査時間ブロック内のデータ伝送リソースの時間領域位置情報は、
前記走査時間ブロックと前記下り制御が位置するデータ伝送サブフレームと間の絶対時間オフセット（ここで、前記絶対時間オフセットはオフセットしたシンボル数であってもよいし、オフセットした絶対時間であってもよい）、
前記走査時間ブロックが位置するサブフレームと前記下り制御が位置するデータ伝送サブフレームとの間の絶対時間オフセット、および前記走査時間ブロックの前記サブフレーム内の位置、
前記走査時間ブロックが位置するサブフレームのインデックス、および前記走査時間ブロックの前記サブフレーム内の位置、
のいずれか１種によって説明される。
【０１５６】
ここで、前記走査時間ブロックの前記サブフレーム内の位置とは、前記走査時間ブロックが前記サブフレームを占めるシンボル情報、または、前記走査時間ブロックと前記走査時間ブロックが位置するサブフレームの境界との間のオフセット情報である。
【０１５７】
例示的な実施形態において、前記走査時間ブロックは、等間隔でデータ伝送サブフレームにマッピングされる。
【０１５８】
例示的な実施形態において、前記走査時間ブロックが等間隔でデータ伝送サブフレームにマッピングされることは、
前記走査周期Ｔ内の全ての走査時間ブロックをＮグループに分け、各グループの走査時間ブロックは、固定の時間間隔でデータ伝送サブフレームにマッピングされ、各グループ内の隣接する前記走査時間ブロックは等間隔でマッピングされることと、
または、前記走査周期内の全ての隣接する前記走査時間ブロックは等間隔でマッピングされることと、
または、全ての隣接する前記走査時間ブロックは等間隔でマッピングされることと、
を含んでもよい。
【０１５９】
例示的な実施形態において、前記各グループの走査時間ブロックが固定の時間間隔でデータ伝送サブフレームにマッピングされることは、隣接する２グループの走査時間ブロック内の１番目の走査時間ブロックの開始境界間のオフセットが固定であることを含んでもよい。
【０１６０】
例示的な実施形態において、前記隣接する２グループの走査時間ブロック内の１番目の走査時間ブロックの開始境界間のオフセットは、前記走査周期ＴとＮの比に等しくなってもよい。
【０１６１】
上記装置の処理フローについては、上記方法の実施例と同様であるため、ここでは説明を省略する。
【０１６２】
また、本発明の実施例は、上記走査時間ブロックに基づく情報伝送装置を備える電子機器を更に提供する。
【０１６３】
また、本発明の実施例は、プロセッサおよび前記プロセッサで実行可能な命令が記憶されたメモリを含み、前記命令がプロセッサによって実行されると、走査周期内のデータ伝送サブフレームのシンボルの一部または全部を走査時間ブロックとして配置する動作と、走査信号チャネルを前記走査時間ブロック内に担持させて伝送する動作とを実行する電子機器であって、前記走査信号チャネルとは、全てのポートまたはビームにおいてポーリング送信する必要がある信号または信号およびチャネルである、電子機器を更に提供する。
【０１６４】
例示的な実施形態において、前記命令がプロセッサによって実行されると、以下の方式により、走査周期内のデータ伝送サブフレームのシンボルの一部または全部を走査時間ブロックとして配置する。
【０１６５】
走査周期内の１つまたは複数のデータ伝送サブフレームのシンボルの一部または全部を１つまたは複数の走査時間ブロックとして配置する。
【０１６６】
例示的な実施形態において、前記命令がプロセッサによって実行されると、以下の方式により、走査周期内のデータ伝送サブフレームのシンボルの一部または全部を走査時間ブロックとして配置する。
【０１６７】
走査周期内の１つまたは複数のデータ伝送サブフレーム内の予約領域以外のシンボルを１つまたは複数の走査時間ブロックとして配置する。
【０１６８】
例示的な実施形態において、前記命令がプロセッサによって実行されると、更に以下の動作を実行する。
【０１６９】
下りデータまたは上りデータを前記走査時間ブロック内に担持して伝送し、ここで、前記下りデータまたは上りデータは、前記走査時間ブロックの前のサブフレームまたはシンボル内の下り制御領域において割り当てられるまたはスケジューリングされる。
【０１７０】
上記電子機器の処理フローについては、前述した方法の実施例を参照することができるため、ここでは説明を省略する。
【０１７１】
また、本発明の実施例は、コンピュータ実行可能命令が記憶され、前記コンピュータ実行可能命令がプロセッサによって実行されると、上記走査時間ブロックに基づく情報伝送方法を実現する機械可読媒体を更に提供する。
【０１７２】
当業者であれば、上文に開示された方法における全てまたは一部のステップ、システム、装置内の機能モジュール／ユニットは、ソフトウェア、ファームウェア、ハードウェアおよびその適当な組み合わせとして実施することができることは理解できる。ハードウェアの実施形態において、以上の説明に言及された機能モジュール／ユニットの間の区分が必ずしも物理的な構成要素の区分に対応するとは限らない。例えば、１つの物理的な構成要素は複数の機能を有することができ、あるいは１つの機能またはステップは複数の物理的な構成要素によって協働して実行することができる。一部の構成要素または全ての構成要素は、デジタルシグナルプロセッサまたはマイクロプロセッサのようなプロセッサによって実行されるソフトウェアとして実行されてもよく、またはハードウェアとして実行され、または専用集積回路のような集積回路として実行される。このようなソフトウェアは機械可読媒体（例えば、コンピュータ可読媒体）に分布されてもよく、コンピュータ可読媒体はコンピュータ記憶媒体（または非一時的媒体）および通信媒体（または一時的媒体）を備えてもよい。当業者によく知られているように、コンピュータ記憶媒体という用語は、情報（例えば、コンピュータ可読命令、データ構造、プログラムモジュールまたは他のデータ）を記憶するための任意の方法、または技術で実施される揮発性および不揮発性、リムーバブルおよびリムーバブルでない媒体を含む。コンピュータ記憶媒体は、ＲＡＭ、ＲＯＭ、ＥＥＰＲＯＭ、フラッシュメモリまたは他のメモリ技術、ＣＤ−ＲＯＭ、ディジタルビデオディスク（ＤＶＤ）または他の光ディスクメモリ、磁気カセット、磁気テープ、磁気ディスクメモリまたは他の磁気記憶装置、または所望の情報を記憶するために使用可能かつコンピュータがアクセスできる任意の他の媒体を含んでもよいが、それらに限定されない。また、当業者によく知られているように、通信媒体は通常、コンピュータ可読命令、データ構造、プログラムモジュールまたは搬送波または他の伝送機構のような変調データ信号内の他のデータを含み、且つ、任意の情報配信媒体を含んでもよい。
【０１７３】
以上、本願の基本的な原理、主な特徴、および本願の利点を示して説明した。本願は上記実施例に限定されず、上記実施例及び明細書に説明したものは本願の原理を説明するためのものに過ぎず、本願の精神および範囲から逸脱しない前提で、本願は様々な変化及び改良があり、これら変化及び改良は全て特許請求の範囲内に含まれる。
【産業上の利用可能性】
【０１７４】
本願の実施例は、走査時間ブロックに基づく情報伝送方法および装置を提供し、走査周期内の同じ数の走査時間ブロックが保証された前提（すなわち、走査遅延を増加しない）で、データ伝送がより柔軟になり、走査時間ブロック内の残りのリソースを更に利用しやすくなり、リソースの利用効率を向上させる。
【図１】
2019531621.tif 000003
【図２】
2019531621.tif 000004
【図３】
2019531621.tif 000005
【図４】
2019531621.tif 000006
【図５】
2019531621.tif 000007
【図６】
2019531621.tif 000008
【図７】
2019531621.tif 000009
【図８】
2019531621.tif 000010
【図９】
2019531621.tif 000011
【図１０】
2019531621.tif 000012
【図１１】
2019531621.tif 000013
【図１２】
2019531621.tif 000014
【図１３】
2019531621.tif 000015
【図１４】
2019531621.tif 000016
【図１５】
2019531621.tif 000017
【図１６】
2019531621.tif 000018
【図１７】
2019531621.tif 000019
【図１８】
2019531621.tif 000020
【図１９】
2019531621.tif 000021
【図２０】
2019531621.tif 000022
【図２１】
2019531621.tif 000023
【図２２】
2019531621.tif 000024
【図２３】
2019531621.tif 000025
【図２４】
2019531621.tif 000026
【図２５】
2019531621.tif 000027
【図２６】
2019531621.tif 000028
【図２７】
2019531621.tif 000029
【図２８】
2019531621.tif 000030
【図２９】
2019531621.tif 000031
【図３０】
2019531621.tif 000032
【国際調査報告】
2019531621.tif 000033
2019531621.tif 000034
2019531621.tif 000035
2019531621.tif 000036